(57)【要約】ＵＥがＳＦＮエリアから非ＳＦＮエリアへハンドオーバする際、ＳＦＮエリアの無線リソースの消費量を抑えながら、ＵＥが受信中のサービスの中断時間を短縮する無線通信基地局装置及び無線通信方法を開示する。ＭＢＭＳ受信要求識別部（１２７）は、ＵＥ（１００）から入力されるＲＲＣメッセージを判別し、ＭＢＭＳ受信要求が含まれていた場合には、ＭＢＭＳ受信要求をＭＢＭＳ受信要求格納部（１２４）に出力する。また、ハンドオーバ決定部（１２６）は、ＵＥ（１００）からのＲＲＣメッセージが隣接セル受信品質測定結果を含んでいた場合には、隣接セルへハンドオーバするか否かを判断する。ＭＢＭＳ受信要求格納部（１２４）は、ＭＢＭＳ受信要求識別部（１２７）から出力されたＭＢＭＳ受信要求を格納し、ハンドオーバを決定したハンドオーバ決定部（１２６）からＭＢＭＳ受信要求の送出を要求されると、ＭＭＥ（１４０）にＭＢＭＳ受信要求を送出する。
2008129812.tif 000002
【特許請求の範囲】
【請求項１】
ユーザから送信されたマルチメディアブロードキャスト／マルチキャストサービス（ＭＢＭＳ）受信要求を格納する格納手段と、
前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定手段と、
を具備する無線通信基地局装置。
【請求項２】
前記コアネットワーク宛ての前記ＭＢＭＳ受信要求をハンドオーバ要求に含めて隣接する他の無線通信基地局装置に送出するハンドオーバ制御手段を具備する請求項１に記載の無線通信基地局装置。
【請求項３】
無線通信基地局装置がユーザから送信されたマルチメディアブロードキャスト／マルチキャストサービス（ＭＢＭＳ）受信要求を格納する格納工程と、
前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定工程と、
を具備する無線通信方法。
【発明の詳細な説明】
【技術分野】
【０００１】  本発明は、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：ＭＢＭＳ）を提供する無線通信基地局装置及び無線通信方法に関する。
【背景技術】
【０００２】  ＬＴＥ／ＳＡＥ（Ｌｏｎｇ  Ｔｅｒｍ  Ｅｖｏｌｕｔｉｏｎ／Ｓｙｓｔｅｍ  Ａｒｃｈｉｔｅｃｔｕｒｅ  Ｅｖｏｌｕｔｉｏｎ）システムは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化した次世代移動通信システムであり、より向上した移動通信サービスの提供を目標とする。【０００３】  ＬＴＥ／ＳＡＥシステムは、ＭＢＭＳを提供する。ＭＢＭＳは、マルチメディアデータをブロードキャストするだけでなく、マルチメディアを該当サービスに加入したユーザにマルチキャストするためのより発展したサービスである。例えば、ＭＢＭＳは、ニュースチャネル、音楽チャネル、映画チャネルなどを提供する。【０００４】  現在、ＬＴＥ／ＳＡＥシステムにおけるＭＢＭＳの転送方法として、単一周波数ネットワーク（Ｓｉｎｇｌｅ  Ｆｒｅｑｕｅｎｃｙ  Ｎｅｔｗｏｒｋ：ＳＦＮ）転送と呼ばれる方法が規格候補として検討されている。ＳＦＮ転送は、同一のＳＦＮエリアに属する複数の基地局がユーザの有無にかかわらず、セル間で同期してデータ送信し、セル間ダイバーシチ合成によりユーザの受信品質の向上を図るものである。ＳＦＮ転送については、非特許文献１、２及び３にそのアーキテクチャ及び処理手順が記載されている。【０００５】  図１に、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ／ＳＡＥシステムにおけるＭＢＭＳの提供例を示す。図１に示すように、１つのＭＢＭＳサービスエリアは、ＳＦＮ転送（Ｍｕｌｔｉ  Ｃｅｌｌ  Ｔｒａｎｓｍｉｓｓｉｏｎ：ＭＣＴ）によりサービスが提供されるＳＦＮエリアと、ＳＦＮ転送以外のマルチキャスト／ユニキャスト転送によりサービスが提供される非ＳＦＮエリアとから構成される。端末（Ｕｓｅｒ  Ｅｑｕｉｐｍｅｎｔ：ＵＥ）は、どちらのエリアに属するかによって、二つの異なる転送モードのいずれかにより、同一のサービスを受信する。【０００６】  ＵＥの動作モードは、一般にアイドル状態とアクティブ状態とに区分される。アイドル状態のＵＥは、コアネットワーク（Ｃｏｒｅ  Ｎｅｔｗｏｒｋ：ＣＮ）により位置登録エリア単位で管理されており、ＣＮでは、登録されている位置登録エリア内のいずれのセルにＵＥが属しているかを特定することができない。一方、アクティブ状態のＵＥは、無線通信基地局装置（Ｅｖｏｌｖｅｄ  ＮｏｄｅＢ：ｅＮＢ）及びＣＮにおいて、セル単位でＵＥの所在を特定することができる。【０００７】  ＭＢＭＳでは、アイドル状態及びアクティブ状態のいずれにおいてもサービスを受信することが可能であり、アイドル状態のＵＥは、ｅＮＢが報知するＭＢＭＳ制御情報を受信することにより、所望するＭＢＭＳを正しく受信することができる。【０００８】  次に、アイドル状態のＵＥがＳＦＮエリアから非ＳＦＮエリアへと移動する場合について図２を用いて説明する。【０００９】  アイドル状態のＵＥが、あるサービスをＳＦＮエリアにおいて受信中にセル再選択（Ｃｅｌｌ  ｒｅｓｅｌｅｃｔｉｏｎ）を行い、ＳＦＮエリアから非ＳＦＮエリアに移動する（ステップ（ＳＴ）１１）。【００１０】  非ＳＦＮエリアにおいては、所望するサービスが常時提供されていないため、ｅＮＢが報知するＭＢＭＳ制御情報から該サービスが提供されていないことを検出したＵＥは、アクティブ状態へと遷移し、ＣＮに対して該サービスを提供するようＭＢＭＳ受信要求を移動管理装置（Ｍｏｂｉｌｉｔｙ  Ｍａｎａｇｅｍｅｎｔ  Ｅｎｔｉｔｙ：ＭＭＥ）に送出する（ＳＴ１２）。【００１１】  ＭＢＭＳ受信要求を受信したＭＭＥは、ＵＥが接続中のｅＮＢと該サービスを提供しているマルチキャストユーザプレーン装置（Ｍｕｌｔｉｃａｓｔ  Ｕｓｅｒ  Ｐｌａｎｅ  Ｅｎｔｉｔｙ：ｍＵＰＥ）との間に、ＭＢＭＳベアラ設定手順を実行し、該サービスを提供するためのＭＢＭＳベアラを確立する（ＳＴ１３）。【００１２】  ＳＴ１３により、ｍＵＰＥとｅＮＢとの間には、該サービスを提供するためのＭＢＭＳベアラが確立され、ｍＵＰＥはＵＥが要求したサービスを確立されたＭＢＭＳベアラに転送する（ＳＴ１４）。【００１３】  ＳＴ１３におけるｍＵＰＥとｅＮＢとの間のＭＢＭＳベアラは、非ＳＦＮエリアがユニキャスト転送をサポートしている場合、ＵＥ専用のポイントツーポイント（Ｐｏｉｎｔ−Ｔｏ−Ｐｏｉｎｔ：ＰＴＰ）ベアラであり、非ＳＦＮエリアがマルチキャスト転送をサポートしている場合、非ＳＦＮエリア内で共通のポイントツーマルチポイント（Ｐｏｉｎｔ−Ｔｏ−Ｍｕｌｔｉｐｏｉｎｔ：ＰＴＭ）ベアラである。いずれのベアラにおいても、ＵＥが非ＳＦＮエリア内において移動する場合、移動先のｅＮＢについてＭＢＭＳベアラが再確立される。【００１４】  次に、アイドル状態のＵＥがアクティブ状態へと遷移した後にＳＦＮエリアから非ＳＦＮエリアへと移動する場合について図３を用いて説明する。ＳＦＮエリアの境界に位置するｅＮＢは、ＳＦＮエリアの境界を示す情報を報知情報に含めて送信する（ＳＴ２１）。【００１５】  アイドル状態のＵＥは、報知情報からＳＦＮエリアの境界に近づいていることを検出し、アクティブ状態へと遷移し、ＭＭＥにＭＢＭＳ受信要求を送出し（ＳＴ２２）、ＭＭＥは、ｍＵＰＥとｅＮＢとの間に要求されたＭＢＭＳベアラを設定する（ＳＴ２３）。【００１６】  ｍＵＰＥは、ＵＥが要求したサービスをＭＢＭＳベアラに転送し、ＵＥは新たに設定したＭＢＭＳベアラから所望するサービスを受信する（ＳＴ２４）。【００１７】  通常、アクティブ状態のＵＥは、隣接セルの受信品質の測定を行い、その測定結果を定期的に又はイベント毎にｅＮＢに通知する。ここで、ＵＥが隣接セルとの境界付近に移動したと仮定する。ＵＥから報告された隣接セル受信品質測定結果を受信したｅＮＢは、ＵＥがある隣接セルとの境界付近にいることを検出する。【００１８】  ｅＮＢは、検出した隣接セルに移動するようＵＥに指示し、ＵＥは指示された隣接セルへハンドオーバを実行する（ＳＴ２５）。【００１９】  ハンドオーバが完了すると、移動先のｅＮＢは、ＳＴ２３で移動元のｅＮＢとの間に確立したＭＢＭＳベアラを移動先のｅＮＢに切り替えるよう、パス切り替え要求をｍＵＰＥに送出する（ＳＴ２６）。パス切り替え要求を受信したｍＵＰＥは、ＭＢＭＳベアラを移動先のｅＮＢに切り替え、ＵＥが所望するサービスを切り替えたＭＢＭＳベアラに転送し、ＵＥは切り替えられたＭＢＭＳベアラからサービ��を受信する（ＳＴ２７）。
【非特許文献１】３ＧＰＰ  ＴＳ  ３６．３００“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ），Ｏｖｅｒａｌｌ  ｄｅｓｃｒｉｐｔｉｏｎ，Ｓｔａｇｅ  ２”，２００７−０３
【非特許文献２】３ＧＰＰ  ＴＲ  Ｒ３．０１８“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，Ｅｖｏｌｖｅｄ  ＵＴＲＡ  ａｎｄ  ＵＴＲＡＮ，Ｒａｄｉｏ  Ａｃｃｅｓｓ  Ａｒｃｈｉｔｅｃｔｕｒｅ  ａｎｄ  Ｉｎｔｅｒｆａｃｅｓ”，２００７−０２
【非特許文献３】３ＧＰＰ  ＴＳＧ−ＲＡＮ  ＷＧ３＃５５  Ｔｄｏｃ  Ｒ３−０７００６３“ＭＢＭＳ  Ｓｅｒｖｉｃｅ  ｃｏｎｔｉｎｕｉｔｙ  ｗｈｅｎ  ｍｏｖｉｎｇ  ｂｅｔｗｅｅｎ  ＳＦＮ  ａｎｄ  ｎｏｎ−ＳＦＮ  ｚｏｎｅｓ”，２００７−０２
【発明の開示】
【発明が解決しようとする課題】
【００２０】  しかしながら、上述したＭＢＭＳの提供方法では、以下のような問題を有する。すなわち、アイドル状態でＳＦＮエリアから出るＵＥの場合、移動先の非ＳＦＮエリアにおいて、ＵＥがアクティブ状態に遷移し、ＭＢＭＳ受信要求をネットワークに送出し、ネットワーク側は、該サービスに対するＭＢＭＳベアラの設定を完了するまでサービスの送信を中断するため、サービスの中断時間が長くなってしまう。【００２１】  また、ＳＦＮエリアの境界にいるアイドル状態のＵＥが、アクティブ状態に遷移した後にＳＦＮエリアから出る場合、ハンドオーバ前に非ＳＦＮ転送用のＭＢＭＳベアラを準備するため、ハンドオーバの前後でサービスの中断はないものの、実際にハンドオーバするまでは、同一のサービスに対してＳＦＮ転送及び非ＳＦＮ転送の重複したＭＢＭＳベアラが設定されることになり、無線リソースを無駄に消費してしまう。さらに、ＳＦＮエリアの境界には位置していても、非ＳＦＮエリアにハンドオーバするとは限らないので、そのような場合には、準備した非ＳＦＮ転送用のＭＢＭＳベアラ自体が無駄となってしまう。【００２２】  本発明の目的は、ＵＥがＳＦＮエリアから非ＳＦＮエリアへハンドオーバする際、ＳＦＮエリアにおける無線リソースの消費量を抑えながら、ＵＥが受信中のサービスの中断時間を短縮する無線通信基地局装置及び無線通信方法を提供することである。
【課題を解決するための手段】
【００２３】  本発明の無線通信基地局装置は、ユーザから送信されたマルチメディアブロードキャスト／マルチキャストサービス（ＭＢＭＳ）受信要求を格納する格納手段と、前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定手段と、を具備する構成を採る。【００２４】  本発明の無線通信方法は、無線通信基地局装置がユーザから送信されたマルチメディアブロードキャスト／マルチキャストサービス（ＭＢＭＳ）受信要求を格納する格納工程と、前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定工程と、を具備するようにした。
【発明の効果】
【００２５】  本発明によれば、ＵＥがＳＦＮエリアから非ＳＦＮエリアへハンドオーバする際、ＳＦＮエリアにおける無線リソースの消費量を抑えながら、ＵＥが受信中のサービスの中断時間を短縮することができる。
【図面の簡単な説明】
【００２６】
【図１】３ＧＰＰ  ＬＴＥ／ＳＡＥシステムにおけるＭＢＭＳの提供例を示すネットワーク図
【図２】アイドル状態でＳＦＮエリアから非ＳＦＮエリアへのハンドオーバ手順を示すシーケンス図
【図３】アイドル状態からアクティブ状態へ遷移した場合におけるＳＦＮエリアから非ＳＦＮエリアへのハンドオーバ手順を示すシーケンス図
【図４】本発明の実施の形態１に係るネットワークの構成を示す図
【図５】図４に示したＭＭＥの構成を示すブロック図
【図６】図４に示したｍＵＰＥの構成を示すブロック図
【図７】図４に示したｅＮＢの構成を示すブロック図
【図８】図４に示したＵＥの構成を示すブロック図
【図９】ＳＦＮエリアから非ＳＦＮエリアへのハンドオーバ手順を示すシーケンス図
【図１０】本発明の実施の形態２に係るｅＮＢの構成を示すブロック図
【図１１】本発明の実施の形態２に係るＳＦＮエリアから非ＳＦＮエリアへのハンドオーバ手順を示すシーケンス図
【図１２】本発明の実施の形態３に係るＭＭＥの構成を示すブロック図
【図１３】本発明の実施の形態３に係るＵＥの構成を示すブロック図
【図１４】本発明の実施の形態３におけるハンドオーバ手順を示すシーケンス図
【図１５】本発明の実施の形態４に係るＭＭＥの構成を示すブロック図
【図１６】本発明の実施の形態４に係るｍＵＰＥの構成を示すブロック図
【図１７】本発明の実施の形態４に係るＵＥの構成を示すブロック図
【図１８】本発明の実施の形態４におけるハンドオーバ手順を示すシーケンス図
【発明を実施するための最良の形態】
【００２７】  以下、本発明の実施の形態について、図面を参照して詳細に説明する。【００２８】  （実施の形態１）
図４は、本発明の実施の形態１に係るネットワークの構成を示す図である。図４に示すネットワークは、端末（Ｕｓｅｒ  Ｅｑｕｉｐｍｅｎｔ：ＵＥ）１００、無線基地局装置（Ｅｖｏｌｖｅｄ  ＮｏｄｅＢ：ｅＮＢ）１２０、移動管理装置（Ｍｏｂｉｌｉｔｙ  Ｍａｎａｇｅｍｅｎｔ  Ｅｎｔｉｔｙ：ＭＭＥ）１４０、マルチキャストユーザプレーン装置（Ｍｕｌｔｉｃａｓｔ  Ｕｓｅｒ  Ｐｌａｎｅ  Ｅｎｔｉｔｙ：ｍＵＰＥ）１６０及びブロードキャスト／マルチキャストサービスセンタ（Ｂｒｏａｄｃａｓｔ  Ｍｕｌｔｉｃａｓｔ  Ｓｅｒｖｉｃｅ  Ｃｅｎｔｅｒ：ＢＭ−ＳＣ）１８０を備えている。また、ｅＮＢ１２０、ＭＭＥ１４０及びｍＵＰＥ１６０は、それぞれＩＰネットワークを介して互いに接続されている。【００２９】  ｅＮＢ１２０は、無線リソースの割り当て及び管理を担当すると共に、アップリンクを介してＵＥ１００の物理階層から転送される情報を受信し、逆に、ダウンリンクを介してＵＥ１００にデータを転送する。ｅＮＢ１２０は、ＵＥ１００のための無線アクセスネットワークのアクセスポイントの役割を担当する。【００３０】  ＭＭＥ１４０は、ＵＥ１００との間で、ＭＢＭＳ受信要求に関するシグナリングを行う。また、ＭＭＥ１４０は、ｍＵＰＥ１６０とｅＮＢ１２０との間のＭＢＭＳベアラの設定、修正及び解放に関するシグナリングを行う。【００３１】  ｍＵＰＥ１６０は、ＭＢＭＳベアラの設定に従って、ＭＢＭＳデータをｅＮＢ１２０へ転送する。ｍＵＰＥ１６０は、ＭＢＭＳに関連するコンテキストを保持する。【００３２】  ＢＭ−ＳＣ１８０は、図示せぬＭＢＭＳコンテンツサーバとｍＵＰＥ１６０の間に位置し、セッション種別、サービスの開始及び終了に関する情報やＭＢＭＳデータをｍＵＰＥ１６０に転送する。なお、ＭＭＥ１４０、ｍＵＰＥ１６０及びＢＭ−ＳＣ１８０はＣＮを形成する。【００３３】  図５は、図４に示したＭＭＥ１４０の構成を示すブロック図である。図５において、入力部１４１は、ｍＵＰＥ１６０及びｅＮＢ１２０から受信した信号をＭＢＭＳベアラ確立部１４２に通知する。【００３４】  ＭＢＭＳベアラ確立部１４２は、ＵＥ１００が接続中のｅＮＢ１２０を介して受信したＵＥ１００からのＭＢＭＳ受信要求を取得した場合、取得したＭＢＭＳ受信要求に基づいて、ｍＵＰＥ１６０とｅＮＢ１２０の間にＭＢＭＳベアラを確立するための処理を行う。ＭＢＭＳベアラ確立部１４２は、ＭＢＭＳ受信要求に含まれるサービス識別子から、該サービスを提供しているｍＵＰＥ１６０を判別し、ＵＥ１００が接続中のｅＮＢ１２０との間にＭＢＭＳベアラを確立するようｍＵＰＥ１６０及びｅＮＢ１２０のそれぞれに対して、出力部１４３を介してシグナリングを行う。【００３５】  出力部１４３は、ＭＢＭＳベアラ確立部１４２から出力されたＭＢＭＳベアラを確立するための制御信号をｍＵＰＥ１６０及びｅＮＢ１２０に送出する。【００３６】  図６は、図４に示したｍＵＰＥ１６０の構成を示すブロック図である。図６において、入力部１６１は、ＢＭ−ＳＣ１８０、ＭＭＥ１４０及びｅＮＢ１２０から受信した制御信号をパラメータ部１６２に出力し、ＢＭ−ＳＣ１８０から受信したＭＢＭＳデータをＭＢＭＳコピー転送部１６３に出力する。【００３７】  パラメータ部１６２は、データパスに関する様々なパラメータを管理し、パラメータの設定に従い、制御情報をＭＢＭＳコピー転送部１６３に出力する。同一サービスに対してＳＦＮ転送及び非ＳＦＮ転送の二つ以上のＭＢＭＳベアラが設定されている場合、パラメータ部１６２は、該ＭＢＭＳデータをコピーしてそれぞれのＭＢＭＳベアラに送出するようＭＢＭＳコピー転送部１６３に要求する。【００３８】  ＭＢＭＳコピー転送部１６３は、パラメータ部１６２から通知された制御情報に基づいた適切なヘッダ情報を入力部１６１から取得したＭＢＭＳデータに付加し、出力部１６４に出力する。ＭＢＭＳコピー転送部１６３は、パラメータ部１６２から複数のＭＢＭＳベアラに関する制御情報を取得した場合には、受信したＭＢＭＳデータをコピーし、パラメータ部１６２から通知されたそれぞれの制御情報別にヘッダを付加し、出力部１６４に出力する。【００３９】  出力部１６４は、ＭＢＭＳコピー転送部１６３から出力されたＭＢＭＳデータをｅＮＢ１２０に出力する。【００４０】  図７は、図４に示したｅＮＢ１２０の構成を示すブロック図である。図７において、入力部１２１は、ＭＭＥ１４０、ｍＵＰＥ１６０及びＵＥ１００から受信した信号をパラメータ部１２２及びＲＲＣ制御部１２３に通知する。【００４１】  パラメータ部１２２は、データパスに関する様々なパラメータを管理し、ＭＭＥ１４０から通知されたＭＢＭＳベアラに関するパラメータの設定に従い、該ＭＢＭＳベアラに対応するＭＢＭＳ無線ベアラの制御情報及びｍＵＰＥ１６０から取得したＭＢＭＳデータを出力部１２５を介して無線区間に送出する。例えば、ＳＦＮエリア内に位置するｅＮＢ１２０の場合、予め定められた時間及びフォーマットで、隣接する基地局が一斉にＭＢＭＳデータを送出する。また、パラメータ部１２２は、自身がＳＦＮエリアの境界に位置する場合、ＳＦＮエリアの境界を示す情報を含めた制御情報を出力部１２５を介して報知する。さらに、非ＳＦＮ転送によるＭＢＭＳベアラが確立された場合には、その確立の完了をＲＲＣ制御部１２３に通知する。【００４２】  ＲＲＣ制御部１２３は、ハンドオーバ決定部１２６及びＭＢＭＳ受信要求識別部１２７を有し、ＭＢＭＳ受信要求識別部１２７は、ＵＥ１００から入力されるＲＲＣメッセージを判別し、ＭＢＭＳ受信要求が含まれていた場合には、ＭＢＭＳ受信要求をＭＢＭＳ受信要求格納部１２４に出力する。また、ハンドオーバ決定部１２６は、ＵＥ１００からのＲＲＣメッセージが隣接セル受信品質測定結果を含んでいた場合には、隣接セルへハンドオーバするか否かを判断する。ハンドオーバが必要な場合には、ハンドオーバ決定部１２６は、ＭＢＭＳ受信要求格納部１２４に格納しているＭＢＭＳ受信要求を送出するよう要求する。さらに、ハンドオーバ決定部１２６は、パラメータ部１２２からＵＥ１００が要求したサービスに対するＭＢＭＳベアラの確立が通知されると、出力部１２５を介してＵＥ１００に対してハンドオーバ指示を出力する。【００４３】  ＭＢＭＳ受信要求格納部１２４は、ＭＢＭＳ受信要求識別部１２７から出力されたＭＢＭＳ受信要求を格納し、格納したＭＢＭＳ受信要求の送出を���ンドオーバ決定部１２６から要求されると、出力部１２５を介してＭＭＥ１４０にＭＢＭＳ受信要求を送出する。【００４４】  出力部１２５は、パラメータ部１２２より入力されるＭＢＭＳデータ、ＳＦＮエリアの境界を示す情報及びハンドオーバ決定部１２６から出力されたハンドオーバ指示をＵＥ１００に送出し、ＭＢＭＳ受信要求格納部１２４から出力されたＭＢＭＳ受信要求をＭＭＥ１４０に送出する。【００４５】  図８は、図４に示したＵＥ１００の構成を示すブロック図である。図８において、入力部１０１は、ｅＮＢ１２０から受信した信号をＳＦＮエリア境界判定部１０２及び受信電力測定部１０３に出力する。【００４６】  ＳＦＮエリア境界判定部１０２は、ｅＮＢ１２０から送信された報知情報にＳＦＮエリアの境界を示す情報が含まれているか否かを判定する。報知情報にＳＦＮエリアの境界を示す情報が含まれていた場合は、ＭＢＭＳ受信要求を生成し、出力部１０４を介してｅＮＢ１２０に送出する。なお、ＭＢＭＳ受信要求には、所望するサービスを識別するためのサービス識別子が含まれる。【００４７】  受信電力測定部１０３は、入力部１０１から出力されたリファレンス信号から隣接セル毎の受信電力を測定し、測定した受信電力を含むメジャメントレポート（Ｍｅａｓｕｒｅｍｅｎｔ  Ｒｅｐｏｒｔ）を出力部１０４を介してｅＮＢ１２０に送出する。【００４８】  出力部１０４は、ＳＦＮエリア境界判定部１０２から出力されたＭＢＭＳ受信要求及び受信電力測定部１０３から出力されたメジャメントレポートをｅＮＢ１２０に送出する。【００４９】  次に、ＵＥ１００のＳＦＮエリアから非ＳＦＮエリアへのハンドオーバ手順について図９を用いて説明する。図９において、ステップ（以下「ＳＴ」と省略する）１０１では、アイドル状態のＵＥ１００は、ＳＦＮエリアの境界に位置するｅＮＢ１２０（ｓ−ｅＮＢ）からＳＦＮエリア境界情報の報知を受ける。ＳＦＮエリア境界情報には、ＳＦＮエリアの境界を示す情報が含まれる。【００５０】  ＳＴ１０２では、ＵＥ１００は、受信したＳＦＮエリア境界情報からＳＦＮエリアの境界に近づいていることを検出し、ＳＴ１０３では、ＵＥ１００は、アクティブ状態へと遷移し、ｓ−ｅＮＢとの間にＲＲＣ接続を確立させ、ｓ−ｅＮＢに所望するサービス識別子を含んだＭＢＭＳ受信要求を送出する。【００５１】  ＳＴ１０４では、ｓ−ｅＮＢは、受信したＲＲＣメッセージ内にＭＢＭＳ受信要求が含まれていることを検出し、検出したＭＢＭＳ受信要求を格納する。【００５２】  ＳＴ１０３において確立したＵＥ１００とｓ−ｅＮＢとのＲＲＣ接続は、制御シグナルのみを送受信する制御プレーンに限定される。ＲＲＣ接続を制御プレーンに限定するとは、制御プレーンのみアクティブな状態のことであり、ＲＲＣメッセージの送受信に関する無線リンク制御（Ｒａｄｉｏ  Ｌｉｎｋ  Ｃｏｎｔｒｏｌ：ＲＬＣ）及びメディアアクセス制御（Ｍｅｄｉａ  Ａｃｃｅｓｓ  Ｃｏｎｔｒｏｌ：ＭＡＣ）に関するエンティティのみを有し、ＵＥ１００のユーザプレーンデータの送受信に必要なチャネル品質の報告（ＣＱＩ報告）及び下り共通制御チャネルの監視等を一切行わない状態を指す。【００５３】  なお、制御プレーンのみ���クティブな状態は、ｓ−ｅＮＢとＵＥ１００との間に限られており、コアネットワークには一切の情報が提供されないので、コアネットワークとしては、ＵＥ１００をアイドル状態のまま管理することになる。【００５４】  通常、アクティブ状態のＵＥ１００は、隣接セルの受信品質の測定を行い、その測定結果を定期的に又はイベント毎にｓ−ｅＮＢに通知する。【００５５】  ここで、ＵＥ１００が隣接セルとの境界付近に移動したと仮定する。ＳＴ１０５では、ＵＥ１００からｓ−ｅＮＢに隣接セル受信品質測定結果が報告され、ＳＴ１０６では、ｓ−ｅＮＢによってＵＥ１００がある隣接セルとの境界付近にいることが検出され、ｓ−ｅＮＢは、ＵＥ１００の隣接セルへのハンドオーバを決定する。【００５６】  ＳＴ１０７では、ｓ−ｅＮＢは、ＳＴ１０４において格納したＭＢＭＳ受信要求をＭＭＥ１４０に送信し、ＳＴ１０８及びＳＴ１０９では、ＭＭＥ１４０がＭＢＭＳ受信要求に含まれるサービス識別子からｍＵＰＥ１６０を判別し、ｍＵＰＥ１６０及びｓ−ｅＮＢとの間にＭＢＭＳベアラを設定する。【００５７】  ｓ−ｅＮＢとの間にＵＥ１００専用のＭＢＭＳベアラを設定したｍＵＰＥ１６０は、ＳＴ１１０において、ＢＭ−ＳＣ１８０から送信されたＭＢＭＳデータをＳＦＮ転送用としてＳＦＮエリア内の全てのｅＮＢ１２０に送出すると共に、ＭＢＭＳベアラに対してＭＢＭＳデータをコピーして送出する。また、ＵＥ１００は、新たに設定されたＵＥ１００専用のＭＢＭＳベアラから所望のＭＢＭＳデータを受信する。【００５８】  ＭＭＥ１４０とのシグナリングにより、ｍＵＰＥ１６０との間のＭＢＭＳベアラ設定を完了したｓ−ｅＮＢは、ＳＴ１１１において、ＳＴ１０６で決定したハンドオーバ先のセルを管理するｅＮＢ１２０（ｔ−ｅＮＢ）との間で通常のハンドオーバ準備手順を実行する。ここで、ハンドオーバ準備手順とは、移動元のｓ−ｅＮＢにおけるＵＥ１００のユーザプレーン及び制御プレーンコンテキストを移動先のｔ−ｅＮＢに通知し、移動先のｔ−ｅＮＢの無線パラメータなどを移動元のｓ−ｅＮＢに通知する手順を指す。【００５９】  ＳＴ１１２では、ｓ−ｅＮＢは、ＵＥ１００にｔ−ｅＮＢにハンドオーバするよう指示する。なお、このハンドオーバ指示には、ＳＴ１１１でｔ−ｅＮＢから通知された無線パラメータが含まれる。【００６０】  ＳＴ１１３では、ｓ−ｅＮＢは、ＳＴ１０８及びＳＴ１０９において確立したＭＢＭＳベアラ上のＭＢＭＳデータをｔ−ｅＮＢにデータ転送する。これにより、ハンドオーバによるサービス中断時間を短縮することができる。【００６１】  ＳＴ１１４では、ＵＥ１００はｔ−ｅＮＢとの間にハンドオーバ実行手順を実行する。ハンドオーバ実行手順は、ＵＥ１００とｔ−ｅＮＢの間のレイヤ１及びレイヤ２のコネクション確立後に、ＵＥ１００からｔ−ｅＮＢに対してハンドオーバ完了を示すＲＲＣメッセージの送出により終了する。【００６２】  ＳＴ１１５では、ｔ−ｅＮＢは、ＳＴ１０８において確立したｍＵＰＥ１６０とｓ−ｅＮＢとの間のＭＢＭＳベアラをｔ−ｅＮＢに切り替えるために、ｍＵＰＥ１６０にパス切り替え要求を送信し、パス切り替え要求を受信したｍＵＰＥ１６０は、ＳＴ１０８及びＳＴ１０���において確立したｓ−ｅＮＢとの間のＭＢＭＳベアラをｔ−ｅＮＢに切り替える。【００６３】  以上の処理により、ＵＥ１００のＳＦＮエリアから非ＳＦＮエリアへのハンドオーバ手順が終了する。【００６４】  このように実施の形態１によれば、ＵＥ１００からのＭＢＭＳ受信要求をｅＮＢ１２０においてＵＥのハンドオーバを決定するまで格納し、実際にハンドオーバする場合にＵＥ１００専用のＭＢＭＳベアラを確立することにより、ＳＦＮエリアにおける無線リソースの消費量を低減しつつ、ＵＥが受信中のサービスの中断時間を短縮することができる。【００６５】  なお、本実施の形態では、非ＳＦＮエリアにおいて、ユニキャスト転送を例にハンドオーバ手順を説明したが、非ＳＦＮエリアにおいてマルチキャスト転送が用いられてもよい。その場合は、ＳＴ１１５において、パス切り替え要求の代わりに、ｍＵＰＥ１６０とｅＮＢ１２０の間のトランスポートネットワークに設定されているマルチキャストツリーへの参加を示すｊｏｉｎパケットが送出される。【００６６】  なお、本実施の形態では、ＳＦＮエリアの境界に位置するｅＮＢ１２０が、ＳＦＮエリアの境界を示す情報を報知するが、ＵＥ１００がＭＢＭＳデータの受信品質に基づいて、自発的にＳＦＮエリアの境界を認識し、ＭＢＭＳ受信要求を送出するようにしてもよい。【００６７】  なお、本実施の形態では、ＳＦＮエリアの境界のセルに属するＵＥ１００は、受信したＳＦＮエリア境界情報から、ＲＲＣ接続をｅＮＢ１２０との間に確立するが、自セル及び周辺セルの測定結果も考慮して、ＲＲＣ接続をｅＮＢ１２０との間に確立し、ＭＢＭＳ受信要求をＭＭＥ１４０に送るようにしてもよい。【００６８】  （実施の形態２）
本発明の実施の形態２では、ＵＥがＳＦＮエリアから非ＳＦＮエリアへハンドオーバする際に、ＵＥのハンドオーバと並行して、ＵＥ専用のＭＢＭＳベアラが移動先のｅＮＢとｍＵＰＥとの間で直接確立する場合について説明する。【００６９】  ＵＥ専用のＭＢＭＳベアラを移動元のｅＮＢとｍＵＰＥとの間に設定してからハンドオーバする場合、該ＭＢＭＳベアラは移動元のｅＮＢに対してはすぐに不要になることが予想される。また、わずかな期間ではあるが、移動元のｅＮＢの無線リソースもＳＦＮ転送用と非ＳＦＮ転送用とで重複して消費してしまう。そこで、本実施の形態では、移動元のｅＮＢは、格納していたＵＥからのＭＢＭＳ受信要求をハンドオーバ準備手順において、移動先のｅＮＢに対し転送する。【００７０】  図１０は、本発明の実施の形態２に係るｅＮＢ１３０の構成を示すブロック図である。また、図１１は、本発明の実施の形態２におけるハンドオーバ手順を示すシーケンス図である。以下、図１０及び図１１を用いてハンドオーバ手順について説明する。ただし、図１０及び図１１において、図７及び図９と共通する部分には、図７及び図９と同一の符号を付し、その詳細な説明は省略する。【００７１】  ＵＥ１００のハンドオーバを決定したｓ−ｅＮＢのハンドオーバ決定部１２６は、ＳＴ２０１において、ＭＢＭＳ受信要求格納部１２４がＳＴ１０４において格納したＵＥ１００からのＭＢＭＳ受信要求をハンドオーバ制御部１３３に通知するよう指示する。ハンドオーバ制御部１３３は、ＭＢＭＳ受信要求格納部１２４から通知されたＭＢＭＳ受信要求をハンドオーバ要求に含めてｔ−ｅＮＢに送信する。ｔ−ｅＮＢの入力部１２１は、ｓ−ｅＮＢから受信したハンドオーバ要求をハンドオーバ制御部１３３に通知する。【００７２】  ハンドオーバ制御部１３３は、ｓ−ｅＮＢから受信したハンドオーバ要求にＭＢＭＳ受信要求が含まれているか否かを判定する。ＭＢＭＳ受信要求が含まれていない通常のハンドオーバの場合、ＳＴ２０２において、出力部１２５を介してｓ−ｅＮＢにハンドオーバ応答を送信する。ＭＢＭＳ受信要求が含まれている場合、ハンドオーバ制御部１３３は、ＳＴ２０２において、出力部１２５を介してｓ−ｅＮＢにハンドオーバ応答を送信すると共に、ＭＢＭＳ受信要求格納部１２４に対して、ＭＢＭＳ受信要求をＭＭＥ１４０へ送出するよう要求する。【００７３】  ＳＴ２０３では、ＭＢＭＳ受信要求格納部１２４がＭＢＭＳ受信要求を出力部１２５を介してＭＭＥ１４０に送信し、ＳＴ２０４では、ｓ−ｅＮＢのパラメータ部１２２がｍＵＰＥ１６０から入力されたＳＦＮ転送用ＭＢＭＳベアラのＭＢＭＳデータを出力部１２５を介してｔ−ｅＮＢに転送する。【００７４】  ＳＴ２０５では、ＭＢＭＳ受信要求を受信したＭＭＥ１４０がＭＢＭＳ受信要求に含まれるサービス識別子からｍＵＰＥ１６０を判別し、ｍＵＰＥ１６０及びｔ−ｅＮＢとの間にＭＢＭＳベアラを設定する。【００７５】  ＳＴ２０６では、ｔ−ｅＮＢとの間にＵＥ１００専用のＭＢＭＳベアラを設定したｍＵＰＥ１６０が、ＢＭ−ＳＣ１８０から送信されたＭＢＭＳデータをＳＦＮ転送用としてＳＦＮエリア内の全てのｅＮＢ１２０に送出すると共に、ＭＢＭＳベアラに対し���もＭＢＭＳデータをコピーして送出する。【００７６】  ＳＴ１１４においてｔ−ｅＮＢへのハンドオーバを完了したＵＥ１００は、以降、ｔ−ｅＮＢから所望のＭＢＭＳデータを受信する。【００７７】  このように実施の形態２によれば、ＵＥ１００専用のＭＢＭＳベアラを、移動元のｅＮＢ１３０からではなく、ＵＥ１００のハンドオーバに並行して、移動先のｅＮＢ１３０から確立し、さらに、ＵＥ１００のハンドオーバ期間中、移動元のｅＮＢ１３０がＳＦＮ転送用ＭＢＭＳベアラ上のＭＢＭＳデータを移動先のｅＮＢ１３０へ転送することにより、ＳＦＮエリアにおける無線リソースを消費することなく、ＵＥが受信中のサービスの中断時間を短縮することができる。【００７８】  （実施の形態３）
本発明の実施の形態３では、ＵＥがＳＦＮエリアから非ＳＦＮエリアへハンドオーバする際に、ＵＥがＭＭＥに対し、ｅＮＢとｍＵＰＥとの間のＵＥ専用のＭＢＭＳベアラの確立を保留するよう要求する場合について説明する。【００７９】  移動元のｅＮＢにおいて、ＵＥからのＭＢＭＳ受信要求を一時的に格納する場合、ｅＮＢは、ＵＥに対する非ＳＦＮエリアに位置するｅＮＢへのハンドオーバを決定するまで、該ＭＢＭＳ受信要求を格納するメモリーリソースを消費してしまう。また、ｅＮＢは、ＵＥからＭＢＭＳ受信要求を受信してからハンドオーバを決定するまでを特別な状態としてＵＥの状態管理を行う必要があり、ｅＮＢのＵＥに関する状態管理が複雑化してしまう。そこで、本実施の形態では、ＵＥは、ＭＭＥに対して送出するＭＢＭＳ受信要求にＭＢＭＳベアラの確立をハンドオーバ完了まで保留するよう要求する情報を含める。【００８０】  図１２は、本発明の実施の形態３に係るＭＭＥ１５０の構成を示すブロック図である。図１３は、本発明の実施の形態３に係るＵＥ１１０の構成を示すブロック図である。また、図１４は、本発明の実施の形態３におけるハンドオーバ手順を示すシーケンス図である。以下、図１２、図１３及び図１４を用いてハンドオーバ手順について説明する。ただし、図１２、図１３及び図１４において、図５、図８及び図１１と共通する部分には、図５、図８及び図１１と同一の符号を付し、その詳細な説明は省略する。【００８１】  図１４のＳＴ１０２において、ｅＮＢ１２０から送信された報知情報にＳＦＮエリアの境界を示す情報が含まれていた場合、ＳＦＮエリア境界判定部１１１は、所望するサービスを識別するサービス識別子と、ＵＥ１１０を識別するＵＥ識別子と、ｓ−ｅＮＢとｍＵＰＥ１６０の間のＵＥ１１０用のＭＢＭＳベアラの確立を保留するよう要求する情報（Ｐｅｎｄｉｎｇ  Ｉｎｄｉｃａｔｏｒ）とを含めて、ＭＢＭＳ受信要求を生成する。【００８２】  ＳＴ３０１において、ＵＥ１１０は、生成したＭＢＭＳ受信要求を出力部１０４を介してｓ−ｅＮＢに送出する。【００８３】  ＳＴ３０２において、ｓ−ｅＮＢは、受信したＭＢＭＳ受信要求を格納することなく、ＭＭＥ１５０に対して転送する。【００８４】  ＭＭＥ１５０は、コンテキスト格納部１４４を有する。コンテキスト格納部１４４は、ＵＥ１１０の位置や受信するサービスに関するコンテキスト等を保持する。【００８５】  ＭＭＥ１５０におけるＭＢＭＳベアラ確立部１４２は、さらにベアラ設定保留判定部１５１を有する。ＳＴ３０３において、ベアラ設定保留判定部１５１は、ｓ−ｅＮＢから受信したＵＥ１１０からのＭＢＭＳ受信要求にｓ−ｅＮＢとｍＵＰＥ１６０の間のＵＥ１１０用のＭＢＭＳベアラの確立を保留するよう要求する情報（Ｐｅｎｄｉｎｇ  Ｉｎｄｉｃａｔｏｒ）が含まれているか否かを判定する。含まれていた場合、ベアラ設定保留判定部１５１は、ｓ−ｅＮＢとｍＵＰＥ１６０の間のＭＢＭＳベアラの確立を保留し、該ＭＢＭＳ受信要求に含まれていたサービス識別子及びベアラ設定が保留されていることを示す情報（Ｐｅｎｄｉｎｇ  Ｉｎｄｉｃａｔｏｒ）をコンテキスト格納部１４４に格納する。【００８６】  その後、ＵＥ１１０はｔ−ｅＮ��にハンドオーバを行い、一連のハンドオーバ手順が終了すると、ＳＴ３０４において、ｔ−ｅＮＢは、ＭＭＥ１５０に対してハンドオーバ通知を出力する。なお、ハンドオーバ通知には、ＵＥ１１０を示すＵＥ識別子が含まれる。また、一連のハンドオーバ手順において、実施の形態２に記載したように、ＵＥ１１０のハンドオーバ期間中、ｓ−ｅＮＢはＳＦＮ転送用ＭＢＭＳベアラ上のＭＢＭＳデータをｔ−ｅＮＢへ転送する。【００８７】  ＭＭＥ１５０は、ｔ−ｅＮＢより受信したハンドオーバ通知をＭＢＭＳベアラ確立部１４２に入力する。ＳＴ３０５において、ＭＢＭＳベアラ確立部１４２は、ハンドオーバ通知に含まれるＵＥ識別子が示すＵＥ１１０に関するコンテキストをコンテキスト格納部１４４より取得する。ベアラ設定保留判定部１５１は、取得したＵＥ１１０に関するコンテキスト内に、ＳＴ３０３において格納したベアラ設定が保留されていることを示す情報（Ｐｅｎｄｉｎｇ  Ｉｎｄｉｃａｔｏｒ）が含まれているか否かを判定する。含まれていた場合、ＭＢＭＳベアラ確立部１４２は、ｔ−ｅＮＢとｍＵＰＥ１６０の間にＭＢＭＳベアラを確立するようｍＵＰＥ１６０及びｔ−ｅＮＢのそれぞれに対して、出力部１４３を介してシグナリングを行う。【００８８】  このように実施の形態３によれば、ＵＥ１１０が、ＭＭＥ１５０に対して送出するＭＢＭＳ受信要求にＭＢＭＳベアラの確立をハンドオーバ完了まで保留するよう要求する情報を含め、ＵＥ１１０のハンドオーバ期間中、移動元のｓ−ｅＮＢがＳＦＮ転送用ＭＢＭＳベアラ上のＭＢＭＳデータを移動先のｔ−ｅＮＢへ転送することにより、ＳＦＮエリアにおける無線リソースを消費することなく、ＵＥが受信中のサービスの中断時間を短縮することができる。さらに、ｓ−ｅＮＢにおけるＭＢＭＳ受信要求の一時的な格納が不要となり、ｅＮＢにおけるメモリーリソース使用量の削減及びＵＥの状態管理の簡素化を実現することができる。【００８９】  （実施の形態４）
本発明の実施の形態４では、ＵＥがＳＦＮエリアからフェムトセル（Ｆｅｍｔｏ  Ｃｅｌｌ）と呼ばれる、数十メートル程度のセル半径の小セル無線通信基地局装置へハンドオーバする際に、ＭＭＥがｍＵＰＥに対し、ＵＥとｍＵＰＥとの間のＵＥ専用のＭＢＭＳデータの送信を行わないよう要求する場合について説明する。【００９０】  ３ＧＰＰでは、小セル無線通信基地局装置が家庭やオフィス、さらにはレストランなどの屋内施設に設置され、限られたグループメンバにだけアクセスを許可することが検討されている。アクセスが許可されたＵＥは、フェムトセルに優先的に接続するようネットワークから制御される。すなわち、ＵＥがフェムトセルのエリアに入った場合、ｅＮＢからの電波を受信できたとしても、フェムトセルに優先的に接続するよう制御される。【００９１】  このフェムトセルは、低コスト化やバックホール・ネットワークのＩＰマルチキャスト非対応などの理由により、ＭＢＭＳ機能を搭載しないことが想定される。通常、ＵＥがＭＢＭＳサービスエリアからＭＢＭＳサービスエリア外へ移動した場合には、ポイントツーポイントのベアラがＵＥとＢＭ−ＳＣの間に設定され、アプリケーションレイヤにおいてサービス要求を行った後に、ＭＢＭＳサービスの受信を再開する。【００９２】  よって、ＵＥがフェムトセルへ移動し、ＵＥに対するＭＢＭＳベアラの確立を開始する場合、ＵＥとＢＭ−ＳＣ間のアプリケーションレイヤのサービス要求の通知が完了までＭＢＭＳサービスの受信を再開することができない。そこで、本実施の形態では、移動先の対象となるセルがフェムトセルである場合に、ＵＥは、ＭＭＥにＭＢＭＳベアラの確立を保留するよう要求するとともに、フェムトセルを検出したことを通知する。ＭＭＥは、ｍＵＰＥに対してＵＥとＢＭ−ＳＣ間のサービス要求に関するデータ（上り方向）のみを通過するよう要求し、ｅＮＢを介するＵＥ宛てのＭＢＭＳデータ（下り方向）は通過させないように要求する。【００９３】  図１５は、本発明の実施の形態４に係るＭＭＥ１５０の構成を示すブロック図である。図１６は、本発明の実施の形態４に係るｍＵＰＥ１７０の構成を示すブロック図である。図１７は、本発明の実施の形態４に係るＵＥ１１０の構成を示すブロック図である。また、図１８は、本発明の実施の形態４におけるハンドオーバ手順を示すシーケンス図である。以下、図１５、図１６、図１７及び図１８を用いてハンドオーバ手順について説明する。ただし、図１５、図１６、図１７及び図１８において、図６、図１２、図１３及び図１４と共通する部分には、図６、図１２、図１３及び図１４と同一の符号を付し、その詳細な説明は省略する。【００９４】  図１８のＳＴ４０１において、ＵＥ１１０は、周辺セルサーチを行い、検出したフェムトセル（ＨｅＮＢ）の報知情報に含まれるＨｅＮＢ識別子を取得する。ＳＴ４０２において、ＵＥ１１０は、取得したＨｅＮＢ識別子と自らがアクセスを許可されているＨｅＮＢの識別子とを比較する。【００９５】  ＵＥ１１０におけるＳＦＮエリア境界判定部１１１は、さらにフェムトセル検出部１１２を有する。ＳＴ４０２において、自らがアクセスを許可されているＨｅＮＢの識別子が含まれていた場合、���ェムトセル検出部１１２は、所望するサービスを識別するサービス識別子と、ＵＥ１１０を識別するＵＥ識別子と、ｓ−ｅＮＢ及びｍＵＰＥ１７０間のＵＥ１１０用のＭＢＭＳベアラの確立を保留するよう要求する情報（Ｐｅｎｄｉｎｇ  Ｉｎｄｉｃａｔｏｒ）と、フェムトセルを検出したことを示す情報とを含めて、ＭＢＭＳ受信要求を生成する。【００９６】  また、ＵＥ１１０は、アプリケーション部１１３を有し、ＳＴ４０２においてフェムトセルを検出したフェムトセル検出部１１２は、アプリケーション部１１３に対し、無線ベアラの確立後にアプリケーションレイヤでのサービス要求を送出するよう通知する。【００９７】  ＳＴ３０１において、ＵＥ１１０は、生成したＭＢＭＳ受信要求を出力部１０４を介してｓ−ｅＮＢに送出する。【００９８】  ＳＴ３０２において、ｓ−ｅＮＢは、受信したＭＢＭＳ受信要求を格納することなく、ＭＭＥ１５０に対して転送する。【００９９】  ＭＭＥ１５０におけるベアラ設定保留判定部１５２は、ＳＴ４０３において、ｓ−ｅＮＢから受信したＵＥ１１０からのＭＢＭＳ受信要求にｓ−ｅＮＢ及びｍＵＰＥ１７０間のＵＥ１１０用のＭＢＭＳベアラの確立を保留するよう要求する情報（Ｐｅｎｄｉｎｇ  Ｉｎｄｉｃａｔｏｒ）及びフェムトセルを検出したことを示す情報が含まれているか否かを判定する。両方とも含まれていた場合、ベアラ設定保留判定部１５２は、ｓ−ｅＮＢ及びｍＵＰＥ１７０間のＭＢＭＳベアラを確立するよう判断し、該ＭＢＭＳ受信要求に含まれていたサービス識別子及びＰｅｎｄｉｎｇ  Ｉｎｄｉｃａｔｏｒをコンテキスト格納部１４４に格納する。【０１００】  ＳＴ４０４において、ＭＢＭＳベアラ確立部１４５は、出力部１４３を介して、ｓ−ｅＮＢ及びｍＵＰＥ１７０間でＭＢＭＳベアラ設定に関するシグナリングを行う。この際、ＭＢＭＳベアラ確立部１４５は、ｍＵＰＥ１７０に対して該ＭＢＭＳベアラにおいて、ＵＥ１１０からＢＭ−ＳＣ１８０へのアプリケーションレイヤのサービス要求は通過させ、該サービス要求により開始されるＢＭ−ＳＣ１８０からＵＥ１１０へのＭＢＭＳデータは通過させないよう指示するフィルタリング要求を出力する。【０１０１】  ｍＵＰＥ１７０におけるＭＢＭＳコピー転送部１６３は、フィルタリング部１７１をさらに有し、ＭＭＥ１５０から受信したＵＥ１１０とのＭＢＭＳベアラに関するフィルタリング要求をフィルタリング部１７１に転送する。フィルタリング部１７１は、受信したフィルタリング要求に従ってフィルタリング設定を行う。【０１０２】  ＳＴ４０５において、ｓ−ｅＮＢ及びＵＥ１１０間で無線ベアラが設定される。ＳＴ４０６では、ＵＥ１１０におけるアプリケーション部１１３は、無線ベアラが確立された後に、ＢＭ−ＳＣ１８０に対してアプリケーションレイヤでのサービス要求を出力する。この時、ｍＵＰＥ１７０におけるフィルタリング部１７１は、入力部１６１から受信したＵＥ１１０からのサービス要求をＢＭ−ＳＣ１８０に出力部１６４を介して送信する。【０１０３】  ＢＭ−ＳＣ１８０において、ＵＥ１１０からのアプリケーションレイヤにおけるサービス要求に対する処理が完了すると、ＵＥ１１０に対するポイントツーポイントのベアラによるＭＢＭＳデータの配信が開始される。この時、ｍＵＰＥ１７０におけるフィルタリング部１７１は、ＳＴ４０４においてＭＭＥ１５０から通知されたフィルタリング要求に従い、ＵＥ１１０に対するＭＢＭＳデータをｓ−ｅＮＢに転送しない。【０１０４】  その後、ＵＥ１１０はＨｅＮＢにハンドオーバを行い、一連のハンドオーバ手順が終了すると、ＳＴ３０４において、ＨｅＮＢは、ＭＭＥ１５０に対してハンドオーバ通知を出力する。なお、一連のハンドオーバ手順により、ｓ−ｅＮＢとｍＵＰＥ１７０との間に設定されたＵＥ１１０に対するベアラはＨｅＮＢとｍＵＰＥ１７０との間に移設される。また、ハンドオーバ通知には、ＵＥ１１０を示すＵＥ識別子が含まれる。【０１０５】  ＭＭＥ１５０は、ＨｅＮＢより受信したハンドオーバ通知をＭＢＭＳベアラ確立部１４５に入力する。ＳＴ４０７において、ＭＢＭＳベアラ確立部１４５は、ハンドオーバ通知に含まれるＵＥ識別子が示すＵＥ１１０に関するコンテキストをコンテキスト格納部１４４より取得する。ベアラ設定保留判定部１５２は、取得したＵＥ１１０に関するコンテキスト内に、ＳＴ４０３において格納したＰｅｎｄｉｎｇ  Ｉｎｄｉｃａｔｏｒが含まれているか否かを判定する。含まれていた場合、ＭＢＭＳベアラ確立部１４５は、ＳＴ４０８において、ＨｅＮＢからＵＥ１１０にＭＢＭＳデータを転送するようｍＵＰＥ１７０に対して、出力部１４３を介してシグナリングを行う。【０１０６】  このように実施の形態４によれば、移動先の対象となるセルがフェムトセルである場合に、ＵＥ１１０が、ＭＭＥ１５０に対してＭＢＭＳベアラの確立を保留するよう要求するとともに、フェムトセルを検出したことを通知し、ＭＭＥ１５０は、ｍＵＰＥ１７０に対してＵＥ１１０及びＢＭ−ＳＣ１８０間のアプリケーションレイヤのサービス要求（上り方向）のみを通過するよう要求し、ｓ−ｅＮＢを介するＵＥ１１０宛てのＭＢＭＳデータ（下り方向）は通過させないように要求し、実際にＵＥ１１０がＨｅＮＢにハンドオーバした後に、ＵＥ１１０へのＭＢＭＳデータの転送をＨｅＮＢを介して開始することにより、ＳＦＮエリアにおける無線リソースを消費することなく、ＵＥ１１０が受信中のＭＢＭＳサービスの中断時間を短縮することができる。【０１０７】  上記各実施の形態では、本発明をハードウェアで構成する場合を例にとって説明したが、本発明はソフトウェアで実現することも可能である。【０１０８】  また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１０９】  また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。【０１１０】  さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１１１】  ２００７年３月２３日出願の特願２００７−０７７７７７及び２００７年４月１６日出願の特願２００７−１０７０３８の日本出願に含まれる明細書、図面及び要約書の開示内容は、すべて本願に援用される。
【産業上の利用可能性】
【０１１２】  本発明にかかる無線通信基地局装置及び無線通信方法は、ＵＥがＳＦＮエリアから非ＳＦＮエリアへハンドオーバする際、ＳＦＮエリアにおける無線リソースの消費量を抑えながら、ＵＥが受信中のサービスの中断時間を短縮することができ、ＭＢＭＳを提供する伝送制御システムに適用できる。
【図１】
2008129812.tif 000003
【図２】
2008129812.tif 000004
【図３】
2008129812.tif 000005
【図４】
2008129812.tif 000006
【図５】
2008129812.tif 000007
【図６】
2008129812.tif 000008
【図７】
2008129812.tif 000009
【図８】
2008129812.tif 000010
【図９】
2008129812.tif 000011
【図１０】
2008129812.tif 000012
【図１１】
2008129812.tif 000013
【図１２】
2008129812.tif 000014
【図１３】
2008129812.tif 000015
【図１４】
2008129812.tif 000016
【図１５】
2008129812.tif 000017
【図１６】
2008129812.tif 000018
【図１７】
2008129812.tif 000019
【図１８】
2008129812.tif 000020
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
ユーザから送信されたマルチメディアブロードキャスト／マルチキャストサービス（ＭＢＭＳ）受信要求を格納する格納手段と、
前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定手段と、
を具備する無線通信基地局装置。
【請求項２】
前記コアネットワーク宛ての前記ＭＢＭＳ受信要求をハンドオーバ要求に含めて隣接する他の無線通信基地局装置に送出するハンドオーバ制御手段を具備する請求項１に記載の無線通信基地局装置。
【請求項３】
無線通信基地局装置がユーザから送信されたマルチメディアブロードキャスト／マルチキャストサービス（ＭＢＭＳ）受信要求を格納する格納工程と、
前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定工程と、
を具備する無線通信方法。
【手続補正２】
【補正対象書類名】明細書
【補正対象項目名】全文
【補正方法】変更
【補正の内容】
【発明の詳細な説明】
【技術分野】
【０００１】
本発明は、マルチメディアブロードキャスト／マルチキャストサービス（Multimedia Broadcast/Multicast Service:ＭＢＭＳ）を提供する無線通信基地局装置及び無線通信方法に関する。
【背景技術】
【０００２】
ＬＴＥ／ＳＡＥ（Long Term Evolution/System Architecture Evolution）システムは、ＵＭＴＳ（Universal Mobile Telecommunications System）から進化した次世代移動通信システムであり、より向上した移動通信サービスの提供を目標とする。
【０００３】
ＬＴＥ／ＳＡＥシステムは、ＭＢＭＳを提供する。ＭＢＭＳは、マルチメディアデータをブロードキャストするだけでなく、マルチメディアを該当サービスに加入したユーザにマルチキャストするためのより発展したサービスである。例えば、ＭＢＭＳは、ニュースチャネル、音楽チャネル、映画チャネルなどを提供する。
【０００４】
現在、ＬＴＥ／ＳＡＥシステムにおけるＭＢＭＳの転送方法として、単一周波数ネットワーク（Single Frequency Network：ＳＦＮ）転送と呼ばれる方法が規格候補として検討されている。ＳＦＮ転送は、同一のＳＦＮエリアに属する複数の基地局がユーザの有無にかかわらず、セル間で同期してデータ送信し、セル間ダイバーシチ合成によりユーザの受信品質の向上を図るものである。ＳＦＮ転送については、非特許文献１、２及び３にそのアーキテクチャ及び処理手順が記載されている。
【０００５】
図１に、３ＧＰＰ（3rd Generation Partnership Project） ＬＴＥ／ＳＡＥシステムにおけるＭＢＭＳの提供例を示す。図１に示すように、１つのＭＢＭＳサービスエリアは、ＳＦＮ転送（Multi Cell Transmission: MCT）によりサービスが提供されるＳＦＮエリアと、ＳＦＮ転送以外のマルチキャスト／ユニキャスト転送によりサービスが提供される非ＳＦＮエリアとから構成される。端末（User Equipment:ＵＥ）は、どちらのエリアに属するかによって、二つの異なる転送モードのいずれかにより、同一のサービスを受信する。
【０００６】
ＵＥの動作モードは、一般にアイドル状態とアクティブ状態とに区分される。アイドル状態のＵＥは、コアネットワーク（Core Network：ＣＮ）により位置登録エリア単位で管理されており、ＣＮでは、登録されている位置登録エリア内のいずれのセルにＵＥが属しているかを特定することができない。一方、アクティブ状態のＵＥは、無線通信基地局装置（Evolved NodeB：ｅＮＢ）及びＣＮにおいて、セル単位でＵＥの所在を特定することができる。
【０００７】
ＭＢＭＳでは、アイドル状態及びアクティブ状態のいずれにおいてもサービスを受信することが可能であり、アイドル状態のＵＥは、ｅＮＢが報知するＭＢＭＳ制御情報を受信することにより、所望するＭＢＭＳを正しく受信することができる。
【０００８】
次に、アイドル状態のＵＥがＳＦＮエリアから非ＳＦＮエリアへと移動する場合について図２を用いて説明する。
【０００９】
アイドル状態のＵＥが、あるサービスをＳＦＮエリアにおいて受信中にセル再選択（Cell reselection）を行い、ＳＦＮエリアから非ＳＦＮエリアに移動する（ステップ（ＳＴ）１１）。
【００１０】
非ＳＦＮエリアにおいては、所望するサービスが常時提供されていないため、ｅＮＢが報知するＭＢＭＳ制御情報から該サービスが提供されていないことを検出したＵＥは、アクティブ状態へと遷移し、ＣＮに対して該サービスを提供するようＭＢＭＳ受信要求を移動管理装置（Mobility Management Entity：ＭＭＥ）に送出する（ＳＴ１２）。
【００１１】
ＭＢＭＳ受信要求を受信したＭＭＥは、ＵＥが接続中のｅＮＢと該サービスを提供しているマルチキャストユーザプレーン装置（Multicast User Plane Entity：ｍＵＰＥ）との間に、ＭＢＭＳベアラ設定手順を実行し、該サービスを提供するためのＭＢＭＳベアラを確立する（ＳＴ１３）。
【００１２】
ＳＴ１３により、ｍＵＰＥとｅＮＢとの間には、該サービスを提供するためのＭＢＭＳベアラが確立され、ｍＵＰＥはＵＥが要求したサービスを確立されたＭＢＭＳベアラに転送する（ＳＴ１４）。
【００１３】
ＳＴ１３におけるｍＵＰＥとｅＮＢとの間のＭＢＭＳベアラは、非ＳＦＮエリアがユニキャスト転送をサポートしている場合、ＵＥ専用のポイントツーポイント（Point-To-Point：ＰＴＰ）ベアラであり、非ＳＦＮエリアがマルチキャスト転送をサポートしている場合、非ＳＦＮエリア内で共通のポイントツーマルチポイント（Point-To-Multipoint：ＰＴＭ）ベアラである。いずれのベアラにおいても、ＵＥが非ＳＦＮエリア内において移動する場合、移動先のｅＮＢについてＭＢＭＳベアラが再確立される。
【００１４】
次に、アイドル状態のＵＥがアクティブ状態へと遷移した後にＳＦＮエリアから非ＳＦＮエリアへと移動する場合について図３を用いて説明する。ＳＦＮエリアの境界に位置するｅＮＢは、ＳＦＮエリアの境界を示す情報を報知情報に含めて送信する（ＳＴ２１）。
【００１５】
アイドル状態のＵＥは、報知情報からＳＦＮエリアの境界に近づいていることを検出し、アクティブ状態へと遷移し、ＭＭＥにＭＢＭＳ受信要求を送出し（ＳＴ２２）、ＭＭＥは、ｍＵＰＥとｅＮＢとの間に要求されたＭＢＭＳベアラを設定する（ＳＴ２３）。
【００１６】
ｍＵＰＥは、ＵＥが要求したサービスをＭＢＭＳベアラに転送し、ＵＥは新たに設定したＭＢＭＳベアラから所望するサービスを受信する（ＳＴ２４）。
【００１７】
通常、アクティブ状態のＵＥは、隣接セルの受信品質の測定を行い、その測定結果を定期的に又はイベント毎にｅＮＢに通知する。ここで、ＵＥが隣接セルとの境界付近に移動したと仮定する。ＵＥから報告された隣接セル受信品質測定結果を受信したｅＮＢは、ＵＥがある隣接セルとの境界付近にいることを検出する。
【００１８】
ｅＮＢは、検出した隣接セルに移動するようＵＥに指示し、ＵＥは指示された隣接セルへハンドオーバを実行する（ＳＴ２５）。
【００１９】
ハンドオーバが完了すると、移動先のｅＮＢは、ＳＴ２３で移動元のｅＮＢとの間に確立したＭＢＭＳベアラを移動先のｅＮＢに切り替えるよう、パス切り替え要求をｍＵＰＥに送出する（ＳＴ２６）。パス切り替え要求を受信したｍＵＰＥは、ＭＢＭＳベアラを移動先のｅＮＢに切り替え、ＵＥが所望するサービスを切り替えたＭＢＭＳベアラに転送し、ＵＥは切り替えられたＭＢＭＳベアラからサービスを受信する（ＳＴ２７）。
【非特許文献１】3GPP TS 36.300 “3rd Generation Partnership Project;Technical Specification Group Radio Access Network, Evolved Universal Terrestrial Radio Access (E-UTRA) and Evolved Universal Terrestrial Radio Access Network (E-UTRAN), Overall description, Stage 2”, 2007-03
【非特許文献２】3GPP TR R3.018 “3rd Generation Partnership Project;Technical Specification Group Radio Access Network, Evolved UTRA and UTRAN, Radio Access Architecture and Interfaces”, 2007-02
【非特許文献３】3GPP TSG-RAN WG3#55 Tdoc R3-070063 “MBMS Service continuity when moving between SFN and non-SFN zones”, 2007-02
【発明の開示】
【発明が解決しようとする課題】
【００２０】
しかしながら、上述したＭＢＭＳの提供方法では、以下のような問題を有する。すなわち、アイドル状態でＳＦＮエリアから出るＵＥの場合、移動先の非ＳＦＮエリアにおいて、ＵＥがアクティブ状態に遷移し、ＭＢＭＳ受信要求をネットワークに送出し、ネットワーク側は、該サービスに対するＭＢＭＳベアラの設定を完了するまでサービスの送信を中断するため、サービスの中断時間が長くなってしまう。
【００２１】
また、ＳＦＮエリアの境界にいるアイドル状態のＵＥが、アクティブ状態に遷移した後にＳＦＮエリアから出る場合、ハンドオーバ前に非ＳＦＮ転送用のＭＢＭＳベアラを準備するため、ハンドオーバの前後でサービスの中断はないものの、実際にハンドオーバするまでは、同一のサービスに対してＳＦＮ転送及び非ＳＦＮ転送の重複したＭＢＭＳベアラが設定されることになり、無線リソースを無駄に消費してしまう。さらに、ＳＦＮエリアの境界には位置していても、非ＳＦＮエリアにハンドオーバするとは限らないので、そのような場合には、準備した非ＳＦＮ転送用のＭＢＭＳベアラ自体が無駄となってしまう。
【００２２】
本発明の目的は、ＵＥがＳＦＮエリアから非ＳＦＮエリアへハンドオーバする際、ＳＦＮエリアにおける無線リソースの消費量を抑えながら、ＵＥが受信中のサービスの中断時間を短縮する無線通信基地局装置及び無線通信方法を提供することである。
【課題を解決するための手段】
【００２３】
本発明の無線通信基地局装置は、ユーザから送信されたマルチメディアブロードキャスト／マルチキャストサービス（ＭＢＭＳ）受信要求を格納する格納手段と、前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定手段と、を具備する構成を採る。
【００２４】
本発明の無線通信方法は、無線通信基地局装置がユーザから送信されたマルチメディアブロードキャスト／マルチキャストサービス（ＭＢＭＳ）受信要求を格納する格納工程と、前記ユーザの単一周波数ネットワークエリアから非単一周波数ネットワークエリアへのハンドオーバを行うか否かを判定すると共に、ハンドオーバを行うと判定した場合、格納された前記ＭＢＭＳ受信要求をコアネットワークに送出させるハンドオーバ決定工程と、を具備するようにした。
【発明の効果】
【００２５】
本発明によれば、ＵＥがＳＦＮエリアから非ＳＦＮエリアへハンドオーバする際、ＳＦＮエリアにおける無線リソースの消費量を抑えながら、ＵＥが受信中のサービスの中断時間を短縮することができる。
【発明を実施するための最良の形態】
【００２６】
以下、本発明の実施の形態について、図面を参照して詳細に説明する。
【００２７】
（実施の形態１）
図４は、本発明の実施の形態１に係るネットワークの構成を示す図である。図４に示すネットワークは、端末（User Equipment:ＵＥ）１００、無線基地局装置（Evolved NodeB：ｅＮＢ）１２０、移動管理装置（Mobility Management Entity：ＭＭＥ）１４０、マルチキャストユーザプレーン装置（Multicast User Plane Entity：ｍＵＰＥ）１６０及びブロードキャスト／マルチキャストサービスセンタ（Broadcast Multicast Service Center：ＢＭ−ＳＣ）１８０を備えている。また、ｅＮＢ１２０、ＭＭＥ１４０及びｍＵＰＥ１６０は、それぞれＩＰネットワークを介して互いに接続されている。
【００２８】
ｅＮＢ１２０は、無線リソースの割り当て及び管理を担当すると共に、アップリンクを介してＵＥ１００の物理階層から転送される情報を受信し、逆に、ダウンリンクを介してＵＥ１００にデータを転送する。ｅＮＢ１２０は、ＵＥ１００のための無線アクセスネットワークのアクセスポイントの役割を担当する。
【００２９】
ＭＭＥ１４０は、ＵＥ１００との間で、ＭＢＭＳ受信要求に関するシグナリングを行う。また、ＭＭＥ１４０は、ｍＵＰＥ１６０とｅＮＢ１２０との間のＭＢＭＳベアラの設定、修正及び解放に関するシグナリングを行う。
【００３０】
ｍＵＰＥ１６０は、ＭＢＭＳベアラの設定に従って、ＭＢＭＳデータをｅＮＢ１２０へ転送する。ｍＵＰＥ１６０は、ＭＢＭＳに関連するコンテキストを保持する。
【００３１】
ＢＭ−ＳＣ１８０は、図示せぬＭＢＭＳコンテンツサーバとｍＵＰＥ１６０の間に位置し、セッション種別、サービスの開始及び終了に関する情報やＭＢＭＳデータをｍＵＰＥ１６０に転送する。なお、ＭＭＥ１４０、ｍＵＰＥ１６０及びＢＭ−ＳＣ１８０はＣＮを形成する。
【００３２】
図５は、図４に示したＭＭＥ１４０の構成を示すブロック図である。図５において、入
力部１４１は、ｍＵＰＥ１６０及びｅＮＢ１２０から受信した信号をＭＢＭＳベアラ確立部１４２に通知する。
【００３３】
ＭＢＭＳベアラ確立部１４２は、ＵＥ１００が接続中のｅＮＢ１２０を介して受信したＵＥ１００からのＭＢＭＳ受信要求を取得した場合、取得したＭＢＭＳ受信要求に基づいて、ｍＵＰＥ１６０とｅＮＢ１２０の間にＭＢＭＳベアラを確立するための処理を行う。ＭＢＭＳベアラ確立部１４２は、ＭＢＭＳ受信要求に含まれるサービス識別子から、該サービスを提供しているｍＵＰＥ１６０を判別し、ＵＥ１００が接続中のｅＮＢ１２０との間にＭＢＭＳベアラを確立するようｍＵＰＥ１６０及びｅＮＢ１２０のそれぞれに対して、出力部１４３を介してシグナリングを行う。
【００３４】
出力部１４３は、ＭＢＭＳベアラ確立部１４２から出力されたＭＢＭＳベアラを確立するための制御信号をｍＵＰＥ１６０及びｅＮＢ１２０に送出する。
【００３５】
図６は、図４に示したｍＵＰＥ１６０の構成を示すブロック図である。図６において、入力部１６１は、ＢＭ−ＳＣ１８０、ＭＭＥ１４０及びｅＮＢ１２０から受信した制御信号をパラメータ部１６２に出力し、ＢＭ−ＳＣ１８０から受信したＭＢＭＳデータをＭＢＭＳコピー転送部１６３に出力する。
【００３６】
パラメータ部１６２は、データパスに関する様々なパラメータを管理し、パラメータの設定に従い、制御情報をＭＢＭＳコピー転送部１６３に出力する。同一サービスに対してＳＦＮ転送及び非ＳＦＮ転送の二つ以上のＭＢＭＳベアラが設定されている場合、パラメータ部１６２は、該ＭＢＭＳデータをコピーしてそれぞれのＭＢＭＳベアラに送出するようＭＢＭＳコピー転送部１６３に要求する。
【００３７】
ＭＢＭＳコピー転送部１６３は、パラメータ部１６２から通知された制御情報に基づいた適切なヘッダ情報を入力部１６１から取得したＭＢＭＳデータに付加し、出力部１６４に出力する。ＭＢＭＳコピー転送部１６３は、パラメータ部１６２から複数のＭＢＭＳベアラに関する制御情報を取得した場合には、受信したＭＢＭＳデータをコピーし、パラメータ部１６２から通知されたそれぞれの制御情報別にヘッダを付加し、出力部１６４に出力する。
【００３８】
出力部１６４は、ＭＢＭＳコピー転送部１６３から出力されたＭＢＭＳデータをｅＮＢ１２０に出力する。
【００３９】
図７は、図４に示したｅＮＢ１２０の構成を示すブロック図である。図７において、入力部１２１は、ＭＭＥ１４０、ｍＵＰＥ１６０及びＵＥ１００から受信した信号をパラメータ部１２２及びＲＲＣ制御部１２３に通知する。
【００４０】
パラメータ部１２２は、データパスに関する様々なパラメータを管理し、ＭＭＥ１４０から通知されたＭＢＭＳベアラに関するパラメータの設定に従い、該ＭＢＭＳベアラに対応するＭＢＭＳ無線ベアラの制御情報及びｍＵＰＥ１６０から取得したＭＢＭＳデータを出力部１２５を介して無線区間に送出する。例えば、ＳＦＮエリア内に位置するｅＮＢ１２０の場合、予め定められた時間及びフォーマットで、隣接する基地局が一斉にＭＢＭＳデータを送出する。また、パラメータ部１２２は、自身がＳＦＮエリアの境界に位置する場合、ＳＦＮエリアの境界を示す情報を含めた制御情報を出力部１２５を介して報知する。さらに、非ＳＦＮ転送によるＭＢＭＳベアラが確立された場合には、その確立の完了をＲＲＣ制御部１２３に通知する。
【００４１】
ＲＲＣ制御部１２３は、ハンドオーバ決定部１２６及びＭＢＭＳ受信要求識別部１２７
を有し、ＭＢＭＳ受信要求識別部１２７は、ＵＥ１００から入力されるＲＲＣメッセージを判別し、ＭＢＭＳ受信要求が含まれていた場合には、ＭＢＭＳ受信要求をＭＢＭＳ受信要求格納部１２４に出力する。また、ハンドオーバ決定部１２６は、ＵＥ１００からのＲＲＣメッセージが隣接セル受信品質測定結果を含んでいた場合には、隣接セルへハンドオーバするか否かを判断する。ハンドオーバが必要な場合には、ハンドオーバ決定部１２６は、ＭＢＭＳ受信要求格納部１２４に格納しているＭＢＭＳ受信要求を送出するよう要求する。さらに、ハンドオーバ決定部１２６は、パラメータ部１２２からＵＥ１００が要求したサービスに対するＭＢＭＳベアラの確立が通知されると、出力部１２５を介してＵＥ１００に対してハンドオーバ指示を出力する。
【００４２】
ＭＢＭＳ受信要求格納部１２４は、ＭＢＭＳ受信要求識別部１２７から出力されたＭＢＭＳ受信要求を格納し、格納したＭＢＭＳ受信要求の送出をハンドオーバ決定部１２６から要求されると、出力部１２５を介してＭＭＥ１４０にＭＢＭＳ受信要求を送出する。
【００４３】
出力部１２５は、パラメータ部１２２より入力されるＭＢＭＳデータ、ＳＦＮエリアの境界を示す情報及びハンドオーバ決定部１２６から出力されたハンドオーバ指示をＵＥ１００に送出し、ＭＢＭＳ受信要求格納部１２４から出力されたＭＢＭＳ受信要求をＭＭＥ１４０に送出する。
【００４４】
図８は、図４に示したＵＥ１００の構成を示すブロック図である。図８において、入力部１０１は、ｅＮＢ１２０から受信した信号をＳＦＮエリア境界判定部１０２及び受信電力測定部１０３に出力する。
【００４５】
ＳＦＮエリア境界判定部１０２は、ｅＮＢ１２０から送信された報知情報にＳＦＮエリアの境界を示す情報が含まれているか否かを判定する。報知情報にＳＦＮエリアの境界を示す情報が含まれていた場合は、ＭＢＭＳ受信要求を生成し、出力部１０４を介してｅＮＢ１２０に送出する。なお、ＭＢＭＳ受信要求には、所望するサービスを識別するためのサービス識別子が含まれる。
【００４６】
受信電力測定部１０３は、入力部１０１から出力されたリファレンス信号から隣接セル毎の受信電力を測定し、測定した受信電力を含むメジャメントレポート（Measurement Report）を出力部１０４を介してｅＮＢ１２０に送出する。
【００４７】
出力部１０４は、ＳＦＮエリア境界判定部１０２から出力されたＭＢＭＳ受信要求及び受信電力測定部１０３から出力されたメジャメントレポートをｅＮＢ１２０に送出する。
【００４８】
次に、ＵＥ１００のＳＦＮエリアから非ＳＦＮエリアへのハンドオーバ手順について図９を用いて説明する。図９において、ステップ（以下「ＳＴ」と省略する）１０１では、アイドル状態のＵＥ１００は、ＳＦＮエリアの境界に位置するｅＮＢ１２０（ｓ−ｅＮＢ）からＳＦＮエリア境界情報の報知を受ける。ＳＦＮエリア境界情報には、ＳＦＮエリアの境界を示す情報が含まれる。
【００４９】
ＳＴ１０２では、ＵＥ１００は、受信したＳＦＮエリア境界情報からＳＦＮエリアの境界に近づいていることを検出し、ＳＴ１０３では、ＵＥ１００は、アクティブ状態へと遷移し、ｓ−ｅＮＢとの間にＲＲＣ接続を確立させ、ｓ−ｅＮＢに所望するサービス識別子を含んだＭＢＭＳ受信要求を送出する。
【００５０】
ＳＴ１０４では、ｓ−ｅＮＢは、受信したＲＲＣメッセージ内にＭＢＭＳ受信要求が含まれていることを検出し、検出したＭＢＭＳ受信要求を格納する。
【００５１】
ＳＴ１０３において確立したＵＥ１００とｓ−ｅＮＢとのＲＲＣ接続は、制御シグナルのみを送受信する制御プレーンに限定される。ＲＲＣ接続を制御プレーンに限定するとは、制御プレーンのみアクティブな状態のことであり、ＲＲＣメッセージの送受信に関する無線リンク制御（Radio Link Control：ＲＬＣ）及びメディアアクセス制御（Media Access Control：ＭＡＣ）に関するエンティティのみを有し、ＵＥ１００のユーザプレーンデータの送受信に必要なチャネル品質の報告（ＣＱＩ報告）及び下り共通制御チャネルの監視等を一切行わない状態を指す。
【００５２】
なお、制御プレーンのみアクティブな状態は、ｓ−ｅＮＢとＵＥ１００との間に限られており、コアネットワークには一切の情報が提供されないので、コアネットワークとしては、ＵＥ１００をアイドル状態のまま管理することになる。
【００５３】
通常、アクティブ状態のＵＥ１００は、隣接セルの受信品質の測定を行い、その測定結果を定期的に又はイベント毎にｓ−ｅＮＢに通知する。
【００５４】
ここで、ＵＥ１００が隣接セルとの境界付近に移動したと仮定する。ＳＴ１０５では、ＵＥ１００からｓ−ｅＮＢに隣接セル受信品質測定結果が報告され、ＳＴ１０６では、ｓ−ｅＮＢによってＵＥ１００がある隣接セルとの境界付近にいることが検出され、ｓ−ｅＮＢは、ＵＥ１００の隣接セルへのハンドオーバを決定する。
【００５５】
ＳＴ１０７では、ｓ−ｅＮＢは、ＳＴ１０４において格納したＭＢＭＳ受信要求をＭＭＥ１４０に送信し、ＳＴ１０８及びＳＴ１０９では、ＭＭＥ１４０がＭＢＭＳ受信要求に含まれるサービス識別子からｍＵＰＥ１６０を判別し、ｍＵＰＥ１６０及びｓ−ｅＮＢとの間にＭＢＭＳベアラを設定する。
【００５６】
ｓ−ｅＮＢとの間にＵＥ１００専用のＭＢＭＳベアラを設定したｍＵＰＥ１６０は、ＳＴ１１０において、ＢＭ−ＳＣ１８０から送信されたＭＢＭＳデータをＳＦＮ転送用としてＳＦＮエリア内の全てのｅＮＢ１２０に送出すると共に、ＭＢＭＳベアラに対してＭＢＭＳデータをコピーして送出する。また、ＵＥ１００は、新たに設定されたＵＥ１００専用のＭＢＭＳベアラから所望のＭＢＭＳデータを受信する。
【００５７】
ＭＭＥ１４０とのシグナリングにより、ｍＵＰＥ１６０との間のＭＢＭＳベアラ設定を完了したｓ−ｅＮＢは、ＳＴ１１１において、ＳＴ１０６で決定したハンドオーバ先のセルを管理するｅＮＢ１２０（ｔ−ｅＮＢ）との間で通常のハンドオーバ準備手順を実行する。ここで、ハンドオーバ準備手順とは、移動元のｓ−ｅＮＢにおけるＵＥ１００のユーザプレーン及び制御プレーンコンテキストを移動先のｔ−ｅＮＢに通知し、移動先のｔ−ｅＮＢの無線パラメータなどを移動元のｓ−ｅＮＢに通知する手順を指す。
【００５８】
ＳＴ１１２では、ｓ−ｅＮＢは、ＵＥ１００にｔ−ｅＮＢにハンドオーバするよう指示する。なお、このハンドオーバ指示には、ＳＴ１１１でｔ−ｅＮＢから通知された無線パラメータが含まれる。
【００５９】
ＳＴ１１３では、ｓ−ｅＮＢは、ＳＴ１０８及びＳＴ１０９において確立したＭＢＭＳベアラ上のＭＢＭＳデータをｔ−ｅＮＢにデータ転送する。これにより、ハンドオーバによるサービス中断時間を短縮することができる。
【００６０】
ＳＴ１１４では、ＵＥ１００はｔ−ｅＮＢとの間にハンドオーバ実行手順を実行する。ハンドオーバ実行手順は、ＵＥ１００とｔ−ｅＮＢの間のレイヤ１及びレイヤ２のコネクション確立後に、ＵＥ１００からｔ−ｅＮＢに対してハンドオーバ完了を示すＲＲＣメッセージの送出により終了する。
【００６１】
ＳＴ１１５では、ｔ−ｅＮＢは、ＳＴ１０８において確立したｍＵＰＥ１６０とｓ−ｅＮＢとの間のＭＢＭＳベアラをｔ−ｅＮＢに切り替えるために、ｍＵＰＥ１６０にパス切り替え要求を送信し、パス切り替え要求を受信したｍＵＰＥ１６０は、ＳＴ１０８及びＳＴ１０９において確立したｓ−ｅＮＢとの間のＭＢＭＳベアラをｔ−ｅＮＢに切り替える。
【００６２】
以上の処理により、ＵＥ１００のＳＦＮエリアから非ＳＦＮエリアへのハンドオーバ手順が終了する。
【００６３】
このように実施の形態１によれば、ＵＥ１００からのＭＢＭＳ受信要求をｅＮＢ１２０においてＵＥのハンドオーバを決定するまで格納し、実際にハンドオーバする場合にＵＥ１００専用のＭＢＭＳベアラを確立することにより、ＳＦＮエリアにおける無線リソースの消費量を低減しつつ、ＵＥが受信中のサービスの中断時間を短縮することができる。
【００６４】
なお、本実施の形態では、非ＳＦＮエリアにおいて、ユニキャスト転送を例にハンドオーバ手順を説明したが、非ＳＦＮエリアにおいてマルチキャスト転送が用いられてもよい。その場合は、ＳＴ１１５において、パス切り替え要求の代わりに、ｍＵＰＥ１６０とｅＮＢ１２０の間のトランスポートネットワークに設定されているマルチキャストツリーへの参加を示すｊｏｉｎパケットが送出される。
【００６５】
なお、本実施の形態では、ＳＦＮエリアの境界に位置するｅＮＢ１２０が、ＳＦＮエリアの境界を示す情報を報知するが、ＵＥ１００がＭＢＭＳデータの受信品質に基づいて、自発的にＳＦＮエリアの境界を認識し、ＭＢＭＳ受信要求を送出するようにしてもよい。
【００６６】
なお、本実施の形態では、ＳＦＮエリアの境界のセルに属するＵＥ１００は、受信したＳＦＮエリア境界情報から、ＲＲＣ接続をｅＮＢ１２０との間に確立するが、自セル及び周辺セルの測定結果も考慮して、ＲＲＣ接続をｅＮＢ１２０との間に確立し、ＭＢＭＳ受信要求をＭＭＥ１４０に送るようにしてもよい。
【００６７】
（実施の形態２）
本発明の実施の形態２では、ＵＥがＳＦＮエリアから非ＳＦＮエリアへハンドオーバする際に、ＵＥのハンドオーバと並行して、ＵＥ専用のＭＢＭＳベアラが移動先のｅＮＢとｍＵＰＥとの間で直接確立する場合について説明する。
【００６８】
ＵＥ専用のＭＢＭＳベアラを移動元のｅＮＢとｍＵＰＥとの間に設定してからハンドオーバする場合、該ＭＢＭＳベアラは移動元のｅＮＢに対してはすぐに不要になることが予想される。また、わずかな期間ではあるが、移動元のｅＮＢの無線リソースもＳＦＮ転送用と非ＳＦＮ転送用とで重複して消費してしまう。そこで、本実施の形態では、移動元のｅＮＢは、格納していたＵＥからのＭＢＭＳ受信要求をハンドオーバ準備手順において、移動先のｅＮＢに対し転送する。
【００６９】
図１０は、本発明の実施の形態２に係るｅＮＢ１３０の構成を示すブロック図である。また、図１１は、本発明の実施の形態２におけるハンドオーバ手順を示すシーケンス図である。以下、図１０及び図１１を用いてハンドオーバ手順について説明する。ただし、図１０及び図１１において、図７及び図９と共通する部分には、図７及び図９と同一の符号を付し、その詳細な説明は省略する。
【００７０】
ＵＥ１００のハンドオーバを決定したｓ−ｅＮＢのハンドオーバ決定部１２６は、ＳＴ２０１において、ＭＢＭＳ受信要求格納部１２４がＳＴ１０４において格納したＵＥ１０
０からのＭＢＭＳ受信要求をハンドオーバ制御部１３３に通知するよう指示する。ハンドオーバ制御部１３３は、ＭＢＭＳ受信要求格納部１２４から通知されたＭＢＭＳ受信要求をハンドオーバ要求に含めてｔ−ｅＮＢに送信する。ｔ−ｅＮＢの入力部１２１は、ｓ−ｅＮＢから受信したハンドオーバ要求をハンドオーバ制御部１３３に通知する。
【００７１】
ハンドオーバ制御部１３３は、ｓ−ｅＮＢから受信したハンドオーバ要求にＭＢＭＳ受信要求が含まれているか否かを判定する。ＭＢＭＳ受信要求が含まれていない通常のハンドオーバの場合、ＳＴ２０２において、出力部１２５を介してｓ−ｅＮＢにハンドオーバ応答を送信する。ＭＢＭＳ受信要求が含まれている場合、ハンドオーバ制御部１３３は、ＳＴ２０２において、出力部１２５を介してｓ−ｅＮＢにハンドオーバ応答を送信すると共に、ＭＢＭＳ受信要求格納部１２４に対して、ＭＢＭＳ受信要求をＭＭＥ１４０へ送出するよう要求する。
【００７２】
ＳＴ２０３では、ＭＢＭＳ受信要求格納部１２４がＭＢＭＳ受信要求を出力部１２５を介してＭＭＥ１４０に送信し、ＳＴ２０４では、ｓ−ｅＮＢのパラメータ部１２２がｍＵＰＥ１６０から入力されたＳＦＮ転送用ＭＢＭＳベアラのＭＢＭＳデータを出力部１２５を介してｔ−ｅＮＢに転送する。
【００７３】
ＳＴ２０５では、ＭＢＭＳ受信要求を受信したＭＭＥ１４０がＭＢＭＳ受信要求に含まれるサービス識別子からｍＵＰＥ１６０を判別し、ｍＵＰＥ１６０及びｔ−ｅＮＢとの間にＭＢＭＳベアラを設定する。
【００７４】
ＳＴ２０６では、ｔ−ｅＮＢとの間にＵＥ１００専用のＭＢＭＳベアラを設定したｍＵＰＥ１６０が、ＢＭ−ＳＣ１８０から送信されたＭＢＭＳデータをＳＦＮ転送用としてＳＦＮエリア内の全てのｅＮＢ１２０に送出すると共に、ＭＢＭＳベアラに対してもＭＢＭＳデータをコピーして送出する。
【００７５】
ＳＴ１１４においてｔ−ｅＮＢへのハンドオーバを完了したＵＥ１００は、以降、ｔ−ｅＮＢから所望のＭＢＭＳデータを受信する。
【００７６】
このように実施の形態２によれば、ＵＥ１００専用のＭＢＭＳベアラを、移動元のｅＮＢ１３０からではなく、ＵＥ１００のハンドオーバに並行して、移動先のｅＮＢ１３０から確立し、さらに、ＵＥ１００のハンドオーバ期間中、移動元のｅＮＢ１３０がＳＦＮ転送用ＭＢＭＳベアラ上のＭＢＭＳデータを移動先のｅＮＢ１３０へ転送することにより、ＳＦＮエリアにおける無線リソースを消費することなく、ＵＥが受信中のサービスの中断時間を短縮することができる。
【００７７】
（実施の形態３）
本発明の実施の形態３では、ＵＥがＳＦＮエリアから非ＳＦＮエリアへハンドオーバする際に、ＵＥがＭＭＥに対し、ｅＮＢとｍＵＰＥとの間のＵＥ専用のＭＢＭＳベアラの確立を保留するよう要求する場合について説明する。
【００７８】
移動元のｅＮＢにおいて、ＵＥからのＭＢＭＳ受信要求を一時的に格納する場合、ｅＮＢは、ＵＥに対する非ＳＦＮエリアに位置するｅＮＢへのハンドオーバを決定するまで、該ＭＢＭＳ受信要求を格納するメモリーリソースを消費してしまう。また、ｅＮＢは、ＵＥからＭＢＭＳ受信要求を受信してからハンドオーバを決定するまでを特別な状態としてＵＥの状態管理を行う必要があり、ｅＮＢのＵＥに関する状態管理が複雑化してしまう。そこで、本実施の形態では、ＵＥは、ＭＭＥに対して送出するＭＢＭＳ受信要求にＭＢＭＳベアラの確立をハンドオーバ完了まで保留するよう要求する情報を含める。
【００７９】
図１２は、本発明の実施の形態３に係るＭＭＥ１５０の構成を示すブロック図である。図１３は、本発明の実施の形態３に係るＵＥ１１０の構成を示すブロック図である。また、図１４は、本発明の実施の形態３におけるハンドオーバ手順を示すシーケンス図である。以下、図１２、図１３及び図１４を用いてハンドオーバ手順について説明する。ただし、図１２、図１３及び図１４において、図５、図８及び図１１と共通する部分には、図５、図８及び図１１と同一の符号を付し、その詳細な説明は省略する。
【００８０】
図１４のＳＴ１０２において、ｅＮＢ１２０から送信された報知情報にＳＦＮエリアの境界を示す情報が含まれていた場合、ＳＦＮエリア境界判定部１１１は、所望するサービスを識別するサービス識別子と、ＵＥ１１０を識別するＵＥ識別子と、ｓ−ｅＮＢとｍＵＰＥ１６０の間のＵＥ１１０用のＭＢＭＳベアラの確立を保留するよう要求する情報（Pending Indicator）とを含めて、ＭＢＭＳ受信要求を生成する。
【００８１】
ＳＴ３０１において、ＵＥ１１０は、生成したＭＢＭＳ受信要求を出力部１０４を介してｓ−ｅＮＢに送出する。
【００８２】
ＳＴ３０２において、ｓ−ｅＮＢは、受信したＭＢＭＳ受信要求を格納することなく、ＭＭＥ１５０に対して転送する。
【００８３】
ＭＭＥ１５０は、コンテキスト格納部１４４を有する。コンテキスト格納部１４４は、ＵＥ１１０の位置や受信するサービスに関するコンテキスト等を保持する。
【００８４】
ＭＭＥ１５０におけるＭＢＭＳベアラ確立部１４２は、さらにベアラ設定保留判定部１５１を有する。ＳＴ３０３において、ベアラ設定保留判定部１５１は、ｓ−ｅＮＢから受信したＵＥ１１０からのＭＢＭＳ受信要求にｓ−ｅＮＢとｍＵＰＥ１６０の間のＵＥ１１０用のＭＢＭＳベアラの確立を保留するよう要求する情報（Pending Indicator）が含まれているか否かを判定する。含まれていた場合、ベアラ設定保留判定部１５１は、ｓ−ｅＮＢとｍＵＰＥ１６０の間のＭＢＭＳベアラの確立を保留し、該ＭＢＭＳ受信要求に含まれていたサービス識別子及びベアラ設定が保留されていることを示す情報（Pending Indicator）をコンテキスト格納部１４４に格納する。
【００８５】
その後、ＵＥ１１０はｔ−ｅＮＢにハンドオーバを行い、一連のハンドオーバ手順が終了すると、ＳＴ３０４において、ｔ−ｅＮＢは、ＭＭＥ１５０に対してハンドオーバ通知を出力する。なお、ハンドオーバ通知には、ＵＥ１１０を示すＵＥ識別子が含まれる。また、一連のハンドオーバ手順において、実施の形態２に記載したように、ＵＥ１１０のハンドオーバ期間中、ｓ−ｅＮＢはＳＦＮ転送用ＭＢＭＳベアラ上のＭＢＭＳデータをｔ−ｅＮＢへ転送する。
【００８６】
ＭＭＥ１５０は、ｔ−ｅＮＢより受信したハンドオーバ通知をＭＢＭＳベアラ確立部１４２に入力する。ＳＴ３０５において、ＭＢＭＳベアラ確立部１４２は、ハンドオーバ通知に含まれるＵＥ識別子が示すＵＥ１１０に関するコンテキストをコンテキスト格納部１４４より取得する。ベアラ設定保留判定部１５１は、取得したＵＥ１１０に関するコンテキスト内に、ＳＴ３０３において格納したベアラ設定が保留されていることを示す情報（Pending Indicator）が含まれているか否かを判定する。含まれていた場合、ＭＢＭＳベアラ確立部１４２は、ｔ−ｅＮＢとｍＵＰＥ１６０の間にＭＢＭＳベアラを確立するようｍＵＰＥ１６０及びｔ−ｅＮＢのそれぞれに対して、出力部１４３を介してシグナリングを行う。
【００８７】
このように実施の形態３によれば、ＵＥ１１０が、ＭＭＥ１５０に対して送出するＭＢＭＳ受信要求にＭＢＭＳベアラの確立をハンドオーバ完了まで保留するよう要求する情報
を含め、ＵＥ１１０のハンドオーバ期間中、移動元のｓ−ｅＮＢがＳＦＮ転送用ＭＢＭＳベアラ上のＭＢＭＳデータを移動先のｔ−ｅＮＢへ転送することにより、ＳＦＮエリアにおける無線リソースを消費することなく、ＵＥが受信中のサービスの中断時間を短縮することができる。さらに、ｓ−ｅＮＢにおけるＭＢＭＳ受信要求の一時的な格納が不要となり、ｅＮＢにおけるメモリーリソース使用量の削減及びＵＥの状態管理の簡素化を実現することができる。
【００８８】
（実施の形態４）
本発明の実施の形態４では、ＵＥがＳＦＮエリアからフェムトセル（Femto Cell）と呼ばれる、数十メートル程度のセル半径の小セル無線通信基地局装置へハンドオーバする際に、ＭＭＥがｍＵＰＥに対し、ＵＥとｍＵＰＥとの間のＵＥ専用のＭＢＭＳデータの送信を行わないよう要求する場合について説明する。
【００８９】
３ＧＰＰでは、小セル無線通信基地局装置が家庭やオフィス、さらにはレストランなどの屋内施設に設置され、限られたグループメンバにだけアクセスを許可することが検討されている。アクセスが許可されたＵＥは、フェムトセルに優先的に接続するようネットワークから制御される。すなわち、ＵＥがフェムトセルのエリアに入った場合、ｅＮＢからの電波を受信できたとしても、フェムトセルに優先的に接続するよう制御される。
【００９０】
このフェムトセルは、低コスト化やバックホール・ネットワークのＩＰマルチキャスト非対応などの理由により、ＭＢＭＳ機能を搭載しないことが想定される。通常、ＵＥがＭＢＭＳサービスエリアからＭＢＭＳサービスエリア外へ移動した場合には、ポイントツーポイントのベアラがＵＥとＢＭ−ＳＣの間に設定され、アプリケーションレイヤにおいてサービス要求を行った後に、ＭＢＭＳサービスの受信を再開する。
【００９１】
よって、ＵＥがフェムトセルへ移動し、ＵＥに対するＭＢＭＳベアラの確立を開始する場合、ＵＥとＢＭ−ＳＣ間のアプリケーションレイヤのサービス要求の通知が完了までＭＢＭＳサービスの受信を再開することができない。そこで、本実施の形態では、移動先の対象となるセルがフェムトセルである場合に、ＵＥは、ＭＭＥにＭＢＭＳベアラの確立を保留するよう要求するとともに、フェムトセルを検出したことを通知する。ＭＭＥは、ｍＵＰＥに対してＵＥとＢＭ−ＳＣ間のサービス要求に関するデータ（上り方向）のみを通過するよう要求し、ｅＮＢを介するＵＥ宛てのＭＢＭＳデータ（下り方向）は通過させないように要求する。
【００９２】
図１５は、本発明の実施の形態４に係るＭＭＥ１５０の構成を示すブロック図である。図１６は、本発明の実施の形態４に係るｍＵＰＥ１７０の構成を示すブロック図である。図１７は、本発明の実施の形態４に係るＵＥ１１０の構成を示すブロック図である。また、図１８は、本発明の実施の形態４におけるハンドオーバ手順を示すシーケンス図である。以下、図１５、図１６、図１７及び図１８を用いてハンドオーバ手順について説明する。ただし、図１５、図１６、図１７及び図１８において、図６、図１２、図１３及び図１４と共通する部分には、図６、図１２、図１３及び図１４と同一の符号を付し、その詳細な説明は省略する。
【００９３】
図１８のＳＴ４０１において、ＵＥ１１０は、周辺セルサーチを行い、検出したフェムトセル（ＨｅＮＢ）の報知情報に含まれるＨｅＮＢ識別子を取得する。ＳＴ４０２において、ＵＥ１１０は、取得したＨｅＮＢ識別子と自らがアクセスを許可されているＨｅＮＢの識別子とを比較する。
【００９４】
ＵＥ１１０におけるＳＦＮエリア境界判定部１１１は、さらにフェムトセル検出部１１２を有する。ＳＴ４０２において、自らがアクセスを許可されているＨｅＮＢの識別子が
含まれていた場合、フェムトセル検出部１１２は、所望するサービスを識別するサービス識別子と、ＵＥ１１０を識別するＵＥ識別子と、ｓ−ｅＮＢ及びｍＵＰＥ１７０間のＵＥ１１０用のＭＢＭＳベアラの確立を保留するよう要求する情報（Pending Indicator）と、フェムトセルを検出したことを示す情報とを含めて、ＭＢＭＳ受信要求を生成する。
【００９５】
また、ＵＥ１１０は、アプリケーション部１１３を有し、ＳＴ４０２においてフェムトセルを検出したフェムトセル検出部１１２は、アプリケーション部１１３に対し、無線ベアラの確立後にアプリケーションレイヤでのサービス要求を送出するよう通知する。
【００９６】
ＳＴ３０１において、ＵＥ１１０は、生成したＭＢＭＳ受信要求を出力部１０４を介してｓ−ｅＮＢに送出する。
【００９７】
ＳＴ３０２において、ｓ−ｅＮＢは、受信したＭＢＭＳ受信要求を格納することなく、ＭＭＥ１５０に対して転送する。
【００９８】
ＭＭＥ１５０におけるベアラ設定保留判定部１５２は、ＳＴ４０３において、ｓ−ｅＮＢから受信したＵＥ１１０からのＭＢＭＳ受信要求にｓ−ｅＮＢ及びｍＵＰＥ１７０間のＵＥ１１０用のＭＢＭＳベアラの確立を保留するよう要求する情報（Pending Indicator）及びフェムトセルを検出したことを示す情報が含まれているか否かを判定する。両方とも含まれていた場合、ベアラ設定保留判定部１５２は、ｓ−ｅＮＢ及びｍＵＰＥ１７０間のＭＢＭＳベアラを確立するよう判断し、該ＭＢＭＳ受信要求に含まれていたサービス識別子及びPending Indicatorをコンテキスト格納部１４４に格納する。
【００９９】
ＳＴ４０４において、ＭＢＭＳベアラ確立部１４５は、出力部１４３を介して、ｓ−ｅＮＢ及びｍＵＰＥ１７０間でＭＢＭＳベアラ設定に関するシグナリングを行う。この際、ＭＢＭＳベアラ確立部１４５は、ｍＵＰＥ１７０に対して該ＭＢＭＳベアラにおいて、ＵＥ１１０からＢＭ−ＳＣ１８０へのアプリケーションレイヤのサービス要求は通過させ、該サービス要求により開始されるＢＭ−ＳＣ１８０からＵＥ１１０へのＭＢＭＳデータは通過させないよう指示するフィルタリング要求を出力する。
【０１００】
ｍＵＰＥ１７０におけるＭＢＭＳコピー転送部１６３は、フィルタリング部１７１をさらに有し、ＭＭＥ１５０から受信したＵＥ１１０とのＭＢＭＳベアラに関するフィルタリング要求をフィルタリング部１７１に転送する。フィルタリング部１７１は、受信したフィルタリング要求に従ってフィルタリング設定を行う。
【０１０１】
ＳＴ４０５において、ｓ−ｅＮＢ及びＵＥ１１０間で無線ベアラが設定される。ＳＴ４０６では、ＵＥ１１０におけるアプリケーション部１１３は、無線ベアラが確立された後に、ＢＭ−ＳＣ１８０に対してアプリケーションレイヤでのサービス要求を出力する。この時、ｍＵＰＥ１７０におけるフィルタリング部１７１は、入力部１６１から受信したＵＥ１１０からのサービス要求をＢＭ−ＳＣ１８０に出力部１６４を介して送信する。
【０１０２】
ＢＭ−ＳＣ１８０において、ＵＥ１１０からのアプリケーションレイヤにおけるサービス要求に対する処理が完了すると、ＵＥ１１０に対するポイントツーポイントのベアラによるＭＢＭＳデータの配信が開始される。この時、ｍＵＰＥ１７０におけるフィルタリング部１７１は、ＳＴ４０４においてＭＭＥ１５０から通知されたフィルタリング要求に従い、ＵＥ１１０に対するＭＢＭＳデータをｓ−ｅＮＢに転送しない。
【０１０３】
その後、ＵＥ１１０はＨｅＮＢにハンドオーバを行い、一連のハンドオーバ手順が終了すると、ＳＴ３０４において、ＨｅＮＢは、ＭＭＥ１５０に対してハンドオーバ通知を出力する。なお、一連のハンドオーバ手順により、ｓ−ｅＮＢとｍＵＰＥ１７０との間に設
定されたＵＥ１１０に対するベアラはＨｅＮＢとｍＵＰＥ１７０との間に移設される。また、ハンドオーバ通知には、ＵＥ１１０を示すＵＥ識別子が含まれる。
【０１０４】
ＭＭＥ１５０は、ＨｅＮＢより受信したハンドオーバ通知をＭＢＭＳベアラ確立部１４５に入力する。ＳＴ４０７において、ＭＢＭＳベアラ確立部１４５は、ハンドオーバ通知に含まれるＵＥ識別子が示すＵＥ１１０に関するコンテキストをコンテキスト格納部１４４より取得する。ベアラ設定保留判定部１５２は、取得したＵＥ１１０に関するコンテキスト内に、ＳＴ４０３において格納したPending Indicatorが含まれているか否かを判定する。含まれていた場合、ＭＢＭＳベアラ確立部１４５は、ＳＴ４０８において、ＨｅＮＢからＵＥ１１０にＭＢＭＳデータを転送するようｍＵＰＥ１７０に対して、出力部１４３を介してシグナリングを行う。
【０１０５】
このように実施の形態４によれば、移動先の対象となるセルがフェムトセルである場合に、ＵＥ１１０が、ＭＭＥ１５０に対してＭＢＭＳベアラの確立を保留するよう要求するとともに、フェムトセルを検出したことを通知し、ＭＭＥ１５０は、ｍＵＰＥ１７０に対してＵＥ１１０及びＢＭ−ＳＣ１８０間のアプリケーションレイヤのサービス要求（上り方向）のみを通過するよう要求し、ｓ−ｅＮＢを介するＵＥ１１０宛てのＭＢＭＳデータ（下り方向）は通過させないように要求し、実際にＵＥ１１０がＨｅＮＢにハンドオーバした後に、ＵＥ１１０へのＭＢＭＳデータの転送をＨｅＮＢを介して開始することにより、ＳＦＮエリアにおける無線リソースを消費することなく、ＵＥ１１０が受信中のＭＢＭＳサービスの中断時間を短縮することができる。
【０１０６】
上記各実施の形態では、本発明をハードウェアで構成する場合を例にとって説明したが、本発明はソフトウェアで実現することも可能である。
【０１０７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１０９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１０】
２００７年３月２３日出願の特願２００７−０７７７７７及び２００７年４月１６日出願の特願２００７−１０７０３８の日本出願に含まれる明細書、図面及び要約書の開示内容は、すべて本願に援用される。
【産業上の利用可能性】
【０１１１】
本発明にかかる無線通信基地局装置及び無線通信方法は、ＵＥがＳＦＮエリアから非ＳＦＮエリアへハンドオーバする際、ＳＦＮエリアにおける無線リソースの消費量を抑えながら、ＵＥが受信中のサービスの中断時間を短縮することができ、ＭＢＭＳを提供する伝送制御システムに適用できる。
【図面の簡単な説明】
【０１１２】
【図１】３ＧＰＰ ＬＴＥ／ＳＡＥシステムにおけるＭＢＭＳの提供例を示すネットワーク図
【図２】アイドル状態でＳＦＮエリアから非ＳＦＮエリアへのハンドオーバ手順を示すシーケンス図
【図３】アイドル状態からアクティブ状態へ遷移した場合におけるＳＦＮエリアから非ＳＦＮエリアへのハンドオーバ手順を示すシーケンス図
【図４】本発明の実施の形態１に係るネットワークの構成を示す図
【図５】図４に示したＭＭＥの構成を示すブロック図
【図６】図４に示したｍＵＰＥの構成を示すブロック図
【図７】図４に示したｅＮＢの構成を示すブロック図
【図８】図４に示したＵＥの構成を示すブロック図
【図９】ＳＦＮエリアから非ＳＦＮエリアへのハンドオーバ手順を示すシーケンス図
【図１０】本発明の実施の形態２に係るｅＮＢの構成を示すブロック図
【図１１】本発明の実施の形態２に係るＳＦＮエリアから非ＳＦＮエリアへのハンドオーバ手順を示すシーケンス図
【図１２】本発明の実施の形態３に係るＭＭＥの構成を示すブロック図
【図１３】本発明の実施の形態３に係るＵＥの構成を示すブロック図
【図１４】本発明の実施の形態３におけるハンドオーバ手順を示すシーケンス図
【図１５】本発明の実施の形態４に係るＭＭＥの構成を示すブロック図
【図１６】本発明の実施の形態４に係るｍＵＰＥの構成を示すブロック図
【図１７】本発明の実施の形態４に係るＵＥの構成を示すブロック図
【図１８】本発明の実施の形態４におけるハンドオーバ手順を示すシーケンス図
【手続補正３】
【補正対象書類名】図面
【補正対象項目名】全図
【補正方法】変更
【補正の内容】
【図１】
2008129812.tif 000021
【図２】
2008129812.tif 000022
【図３】
2008129812.tif 000023
【図４】
2008129812.tif 000024
【図５】
2008129812.tif 000025
【図６】
2008129812.tif 000026
【図７】
2008129812.tif 000027
【図８】
2008129812.tif 000028
【図９】
2008129812.tif 000029
【図１０】
2008129812.tif 000030
【図１１】
2008129812.tif 000031
【図１２】
2008129812.tif 000032
【図１３】
2008129812.tif 000033
【図１４】
2008129812.tif 000034
【図１５】
2008129812.tif 000035
【図１６】
2008129812.tif 000036
【図１７】
2008129812.tif 000037
【図１８】
2008129812.tif 000038
【国際調査報告】
2008129812.tif 000039
2008129812.tif 000040
2008129812.tif 000041